(57)【要約】  本発明の実施形態は、データ通信方法および装置を開示する。データ通信方法は、アクセスポイントAPによって送信されたウェイクアップパケットをステーションSTAによって受信するステップであって、ウェイクアップパケットが、基本サービスセットBSSパラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの重要パラメータが変更されたかどうかを示すために使用される、ステップと、STAの主トランシーバによって、BSSパラメータ指示情報に基づいてAPと通信するステップとを含む。本発明の実施形態は、STAの主トランシーバがAPと正常に通信することを有効に保証するために使用することができる。
2019537360.tif 000002
【特許請求の範囲】
【請求項１】
データ通信方法であって、
アクセスポイントAPによって送信されたウェイクアップパケットを、ステーションSTAによって、受信するステップであって、前記ウェイクアップパケットが、基本サービスセットBSSパラメータ指示情報を含み、前記BSSパラメータ指示情報が、BSSパラメータ変更指示情報、または前記STAの主トランシーバが現在属している主BSSのターゲットパラメータを含み、前記BSSパラメータ変更指示情報が、前記STAの前記主トランシーバがスリープ状態にあるときに前記主BSSの重要パラメータが変更されたかどうかを示すために使用される、ステップと、
前記STAの前記主トランシーバによって、前記BSSパラメータ指示情報に基づいて前記APと通信するステップと
を含むデータ通信方法。
【請求項２】
前記ウェイクアップパケットが、前記APによってユニキャスト方式で前記STAに送信されるか、または
前記ウェイクアップパケットが、前記APによってブロードキャスト方式もしくはマルチキャスト方式で前記STAに送信される、
請求項1に記載の方法。
【請求項３】
前記BSSパラメータ指示情報が、前記BSSパラメータ変更指示情報を含み、前記BSSパラメータ変更指示情報が、前記APによってカウントされた第1の変更カウント値を含み、前記第1の変更カウント値が、前記主BSSの前記重要パラメータの変更回数を表すために使用され、
前記STAの前記主トランシーバによって、前記BSSパラメータ指示情報に基づいて前記APと通信する前記ステップが、
前記STAによってカウントされた第2の変更カウント値が前記第1の変更カウント値と同じであるかどうかを前記STAによって検出するステップであって、前記第2の変更カウント値が、前記STAの前記主トランシーバが履歴的な起動状態にあるときの、前記主BSSの前記重要パラメータの変更回数を表すために使用される、ステップと、
前記第2の変更カウント値が前記第1の変更カウント値と異なる場合、前記STAの前記主トランシーバが前記スリープ状態にあるときに前記主BSSの前記重要パラメータが変更されているステップと、
前記STAの前記主トランシーバが前記スリープ状態から起動状態に変更されるときに、前記STAの前記主トランシーバによって、前記主BSSの最新の重要パラメータを取得するステップ、および前記最新の重要パラメータに基づいて前記APと通信するステップと
を含む、請求項1に記載の方法。
【請求項４】
前記BSSパラメータ指示情報が、前記BSSパラメータ変更指示情報を含み、前記BSSパラメータ変更指示情報が、変更識別子を含み、前記変更識別子が、前記STAが前記スリープ状態にあるときに前記主BSSの前記重要パラメータが変更されたかどうかを示すために使用され、
前記STAの前記主トランシーバによって、前記BSSパラメータ指示情報に基づいて前記APと通信する前記ステップが、
前記STAによって前記ウェイクアップパケット内の前記変更識別子の値を読み取るステップと、
前記変更識別子の前記値が第1の予め設定された値である場合に、前記主BSSの前記重要パラメータが変更されているステップであって、前記第1の予め設定された値が、前記主BSSの前記重要パラメータが変更されていることを示すために使用される、ステップと、
前記STAの前記主トランシーバが前記スリープ状態から起動状態に変更されるときに、前記STAの前記主トランシーバによって、前記主BSSの最新の重要パラメータを取得するステップ、および前記最新の重要パラメータに基づいて前記APと通信するステップと
を含む、請求項1に記載の方法。
【請求項５】
前記STAの前記主トランシーバによって、前記主BSSの最新の重要パラメータを取得する前記ステップが、
前記STAによってプローブ要求フレームを前記APに送信するステップであって、前記プローブ要求フレームが、前記主BSSの前記最新の重要パラメータを要求するために使用される、ステップと、
前記APによって返されるプローブ応答フレームを前記STAによって受信するステップであって、前記プローブ応答フレームが、前記主BSSの前記最新の重要パラメータを搬送する、ステップと
を含む、請求項3または4に記載の方法。
【請求項６】
前記BSSパラメータ指示情報が、前記STAの前記主トランシーバが現在属している前記主BSSの前記ターゲットパラメータを含み、前記ターゲットパラメータが、ビーコンフレームパラメータを含み、
前記ビーコンフレームパラメータが、次のビーコンフレームの到着時間およびビーコンフレーム間隔のうちの少なくとも一方を含む、
請求項1に記載の方法。
【請求項７】
前記BSSパラメータ指示情報が、前記STAの前記主トランシーバが現在属している前記主BSSの前記ターゲットパラメータを含み、前記ターゲットパラメータが、前記主BSSのチャネルパラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含む、
請求項1に記載の方法。
【請求項８】
前記BSSパラメータ指示情報が、前記STAの前記主トランシーバが現在属している前記主BSSの前記ターゲットパラメータを含み、前記ターゲットパラメータが、前記主BSSの競合チャネルの拡張分散チャネルアクセスEDCAパラメータを含み、
前記主BSSの前記EDCAパラメータが、前記主BSSの前記競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む、
請求項1に記載の方法。
【請求項９】
データ通信方法であって、
アクセスポイントAPによってウェイクアップパケットを生成するステップと、
前記APによって前記ウェイクアップパケットを送信するステップであって、前記ウェイクアップパケットが、基本サービスセットBSSパラメータ指示情報を含み、前記BSSパラメータ指示情報が、BSSパラメータ変更指示情報、または前記STAの主トランシーバが現在属している主BSSのターゲットパラメータを含み、前記BSSパラメータ変更指示情報が、前記STAの前記主トランシーバがスリープ状態にあるときに前記主BSSの重要パラメータが変更されたかどうかを示すために使用される、ステップと
を含むデータ通信方法。
【請求項１０】
前記BSSパラメータ指示情報が、前記BSSパラメータ変更指示情報を含み、前記BSSパラメータ変更指示情報が、前記APによってカウントされた第1の変更カウント値を含み、前記第1の変更カウント値が、前記主BSSの前記重要パラメータの変更回数を表すために使用される、請求項9に記載の方法。
【請求項１１】
前記BSSパラメータ指示情報が、前記BSSパラメータ変更指示情報を含み、前記BSSパラメータ変更指示情報が、変更識別子を含み、前記変更識別子が、前記STAが前記スリープ状態にあるときに前記主BSSの前記重要パラメータが変更されたかどうかを示すために使用される、請求項9に記載の方法。
【請求項１２】
前記BSSパラメータ指示情報が、前記STAの前記主トランシーバが現在属している前記主BSSの前記ターゲットパラメータを含み、前記ターゲットパラメータが、ビーコンフレームパラメータを含み、
前記ビーコンフレームパラメータが、次のビーコンフレームの到着時間およびビーコンフレーム間隔のうちの少なくとも一方を含む、
請求項9に記載の方法。
【請求項１３】
前記BSSパラメータ指示情報が、前記STAの前記主トランシーバが現在属している前記主BSSの前記ターゲットパラメータを含み、前記ターゲットパラメータが、前記主BSSのチャネルパラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含む、
請求項9に記載の方法。
【請求項１４】
前記BSSパラメータ指示情報が、前記STAの前記主トランシーバが現在属している前記主BSSの前記ターゲットパラメータを含み、前記ターゲットパラメータが、前記主BSSの競合チャネルの拡張分散チャネルアクセスEDCAパラメータを含み、
前記主BSSの前記EDCAパラメータが、前記主BSSの前記競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む、
請求項9に記載の方法。
【請求項１５】
データ通信方法であって、
第2のネットワークノードによって送信されたウェイクアップパケットを第1のネットワークノードによって受信するステップであって、前記ウェイクアップパケットが、ターゲットパラメータ値を含み、前記ターゲットパラメータ値が、前記第1のネットワークノードと前記第2のネットワークノードとの間の通信パラメータの更新値であり、前記通信パラメータが、ターゲットウェイクアップ時間TWT要素の少なくとも1つのパラメータおよび／または前記第2のネットワークノードの送信動作モードパラメータを含む、ステップと、
前記第1のネットワークノードによって、前記ターゲットパラメータ値に基づいて前記第2のネットワークノードと通信するステップと
を含むデータ通信方法。
【請求項１６】
前記通信パラメータが、前記TWTのターゲットウェイクアップ時間を含む場合に、
前記第1のネットワークノードによって、前記ターゲットパラメータ値に基づいて前記第2のネットワークノードと通信する前記ステップが、
前記第1のネットワークノードによって前記ターゲットパラメータ値に基づいて、前記第1のネットワークノードの主トランシーバが前記第2のネットワークノードとのTWT通信を実行するターゲット起動時点を調整し、前記第2のネットワークノードと通信するステップ
を含む、
請求項15に記載の方法。
【請求項１７】
前記通信パラメータが、前記TWTの最小TWTウェイク期間を含む場合に、
前記第1のネットワークノードによって、前記ターゲットパラメータ値に基づいて前記第2のネットワークノードと通信する前記ステップが、
前記第1のネットワークノードによって前記ターゲットパラメータ値に基づいて、前記第1のネットワークノードの主トランシーバが前記第2のネットワークノードとのTWT通信を実行する最小起動期間を調整し、前記第2のネットワークノードと通信するステップ
を含む、
請求項15に記載の方法。
【請求項１８】
前記通信パラメータが、前記TWTのTWTウェイク間隔仮数（TWT Wake Interval Mantissa）およびTWTウェイク間隔指数（TWT Wake Interval Exponent）を含む場合に、
前記第1のネットワークノードによって、前記ターゲットパラメータ値に基づいて前記第2のネットワークノードと通信する前記ステップが、
前記第1のネットワークノードによって前記ターゲットパラメータ値に基づいて、前記第1のネットワークノードの主トランシーバが前記第2のネットワークノードとのTWT通信を実行する起動期間間隔を調整し、前記第2のネットワークノードと通信するステップ
を含む、
請求項15に記載の方法。
【請求項１９】
前記ウェイクアップパケットが、TWTパラメータ過負荷フィールドを含み、前記TWTパラメータ過負荷フィールドが、パラメータ過負荷ビットを含み、
前記パラメータ過負荷ビットがTWTパラメータ過負荷を示すとき、前記TWTパラメータ過負荷フィールドが、前記TWT要素の前記少なくとも1つの更新パラメータである前記ターゲットパラメータ値を含み、
前記第1のネットワークノードによって、前記ターゲットパラメータ値に基づいて前記第2のネットワークノードと通信する前記ステップが、
前記第1のネットワークノードによって前記ターゲットパラメータ値に基づいて、前記第1のネットワークノードの主トランシーバが前記第2のネットワークノードとのTWT通信を実行するためのパラメータを調整し、前記第2のネットワークノードと通信するステップ
を含む、
請求項15に記載の方法。
【請求項２０】
前記第2のネットワークノードの前記送信動作モードパラメータが、送信可能ストリームの最大量および送信電力情報を含み、
前記送信電力情報が、前記第2のネットワークノードの最大送信電力または前記第2のネットワークノードの送信電力変動指示情報であり、前記送信電力変動指示情報が、前記第2のネットワークノードのデータ伝送中に送信電力変動が許容されるかどうかを示すために使用される、
請求項15に記載の方法。
【請求項２１】
STAに適用されるデータ通信装置であって、
アクセスポイントAPによって送信されるウェイクアップパケットを受信するように構成される受信ユニットであって、前記ウェイクアップパケットが、基本サービスセットBSSパラメータ指示情報を含み、前記BSSパラメータ指示情報が、BSSパラメータ変更指示情報、または前記STAの主トランシーバが現在属している主BSSのターゲットパラメータを含み、前記BSSパラメータ変更指示情報が、前記STAの前記主トランシーバがスリープ状態にあるときに前記主BSSの重要パラメータが変更されたかどうかを示すために使用される、受信ユニットと、
前記BSSパラメータ指示情報に基づいて前記APと通信するように構成される通信ユニットと
備えるデータ通信装置。
【請求項２２】
前記ウェイクアップパケットが、前記APによってユニキャスト方式で前記STAに送信されるか、または
前記ウェイクアップパケットが、前記APによってブロードキャスト方式もしくはマルチキャスト方式で前記STAに送信される、
請求項21に記載の装置。
【請求項２３】
前記BSSパラメータ指示情報が、前記BSSパラメータ変更指示情報を含み、前記BSSパラメータ変更指示情報が、前記APによってカウントされた第1の変更カウント値を含み、前記第1の変更カウント値が、前記主BSSの前記重要パラメータの変更回数を表すために使用され、
前記通信ユニットが前記BSSパラメータ指示情報に基づいて前記APと通信することが、特に、
前記STAによってカウントされた第2の変更カウント値が前記第1の変更カウント値と同じであるかどうかを検出することであって、前記第2の変更カウント値が、前記STAの前記主トランシーバが履歴的な起動状態にあるときの、前記主BSSの前記重要パラメータの変更回数を表すために使用される、検出することと、
前記第2の変更カウント値が前記第1の変更カウント値と異なる場合、前記STAの前記主トランシーバが前記スリープ状態にあるときに前記主BSSの前記重要パラメータが変更されていることと、
前記STAの前記主トランシーバが前記スリープ状態から起動状態に変更されるときに、前記主BSSの最新の重要パラメータを取得し、前記最新の重要パラメータに基づいて前記APと通信することと
を含む、請求項21に記載の装置。
【請求項２４】
前記BSSパラメータ指示情報が、前記BSSパラメータ変更指示情報を含み、前記BSSパラメータ変更指示情報が、変更識別子を含み、前記変更識別子が、前記STAが前記スリープ状態にあるときに前記主BSSの前記重要パラメータが変更されたかどうかを示すために使用され、
前記通信ユニットが前記BSSパラメータ指示情報に基づいて前記APと通信することが、特に、
前記ウェイクアップパケット内の前記変更識別子の値を読み取ることと、
前記変更識別子の前記値が第1の予め設定された値である場合、前記主BSSの前記重要パラメータが変更されていることであって、前記第1の予め設定された値が、前記主BSSの前記重要パラメータが変更されていることを示すために使用される、変更されていることと、
前記STAの前記主トランシーバが前記スリープ状態から起動状態に変更されるときに、前記主BSSの最新の重要パラメータを取得し、前記最新の重要パラメータに基づいて前記APと通信することと
を含む、請求項21に記載の装置。
【請求項２５】
前記通信ユニットが前記主BSSの最新の重要パラメータを取得することが、特に、
プローブ要求フレームを前記APに送信することであって、前記プローブ要求フレームが、前記主BSSの前記最新の重要パラメータを要求するために使用される、送信することと、
前記APによって返されるプローブ応答フレームを受信することであって、前記プローブ応答フレームが、前記主BSSの前記最新の重要パラメータを搬送する、受信することと
を含む、請求項23または24に記載の装置。
【請求項２６】
前記BSSパラメータ指示情報が、前記STAの前記主トランシーバが現在属している前記主BSSの前記ターゲットパラメータを含み、前記ターゲットパラメータが、ビーコンフレームパラメータを含み、
前記ビーコンフレームパラメータが、次のビーコンフレームの到着時間およびビーコンフレーム間隔のうちの少なくとも一方を含む、
請求項21に記載の装置。
【請求項２７】
前記BSSパラメータ指示情報が、前記STAの前記主トランシーバが現在属している前記主BSSの前記ターゲットパラメータを含み、前記ターゲットパラメータが、前記主BSSのチャネルパラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含む、
請求項21に記載の装置。
【請求項２８】
前記BSSパラメータ指示情報が、前記STAの前記主トランシーバが現在属している前記主BSSの前記ターゲットパラメータを含み、前記ターゲットパラメータが、前記主BSSの競合チャネルの拡張分散チャネルアクセスEDCAパラメータを含み、
前記主BSSの前記EDCAパラメータが、前記主BSSの前記競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む、
請求項21に記載の装置。
【請求項２９】
APに適用されるデータ通信装置であって、
ウェイクアップパケットを生成するように構成される生成ユニットと、
前記ウェイクアップパケットを送信するように構成される送信ユニットであって、前記ウェイクアップパケットが、基本サービスセットBSSパラメータ指示情報を含み、前記BSSパラメータ指示情報が、BSSパラメータ変更指示情報、または前記STAの主トランシーバが現在属している主BSSのターゲットパラメータを含み、前記BSSパラメータ変更指示情報が、前記STAの前記主トランシーバがスリープ状態にあるときに前記主BSSの重要パラメータが変更されたかどうかを示すために使用される、送信ユニットと
を備えるデータ通信装置。
【請求項３０】
前記BSSパラメータ指示情報が、前記BSSパラメータ変更指示情報を含み、前記BSSパラメータ変更指示情報が、前記APによってカウントされた第1の変更カウント値を含み、前記第1の変更カウント値が、前記主BSSの前記重要パラメータの変更回数を表すために使用される、請求項29に記載の装置。
【請求項３１】
前記BSSパラメータ指示情報が、前記BSSパラメータ変更指示情報を含み、前記BSSパラメータ変更指示情報が、変更識別子を含み、前記変更識別子が、前記STAが前記スリープ状態にあるときに前記主BSSの前記重要パラメータが変更されたかどうかを示すために使用される、請求項29に記載の装置。
【請求項３２】
前記BSSパラメータ指示情報が、前記STAの前記主トランシーバが現在属している前記主BSSの前記ターゲットパラメータを含み、前記ターゲットパラメータが、ビーコンフレームパラメータを含み、
前記ビーコンフレームパラメータが、次のビーコンフレームの到着時間およびビーコンフレーム間隔のうちの少なくとも一方を含む、
請求項29に記載の装置。
【請求項３３】
前記BSSパラメータ指示情報が、前記STAの前記主トランシーバが現在属している前記主BSSの前記ターゲットパラメータを含み、前記ターゲットパラメータが、前記主BSSのチャネルパラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含む、
請求項29に記載の装置。
【請求項３４】
前記BSSパラメータ指示情報が、前記STAの前記主トランシーバが現在属している前記主BSSの前記ターゲットパラメータを含み、前記ターゲットパラメータが、前記主BSSの競合チャネルの拡張分散チャネルアクセスEDCAパラメータを含み、
前記主BSSの前記EDCAパラメータが、前記主BSSの前記競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む、
請求項29に記載の装置。
【請求項３５】
第1のネットワークノードに適用されるデータ通信装置であって、
第2のネットワークノードによって送信されるウェイクアップパケットを受信するように構成される受信ユニットであって、前記ウェイクアップパケットが、ターゲットパラメータ値を含み、前記ターゲットパラメータ値が、前記第1のネットワークノードと前記第2のネットワークノードとの間の通信パラメータの更新値であり、前記通信パラメータが、ターゲットウェイクアップ時間TWT要素の少なくとも1つのパラメータおよび／または前記第2のネットワークノードの送信動作モードパラメータを含む、受信ユニットと、
前記ターゲットパラメータ値に基づいて前記第2のネットワークノードと通信するように構成される通信ユニットと
を備えるデータ通信装置。
【請求項３６】
前記通信パラメータが、前記TWTのターゲットウェイクアップ時間を含む場合に、
前記通信ユニットが前記ターゲットパラメータ値に基づいて前記第2のネットワークノードと通信することが、特に、
前記ターゲットパラメータ値に基づいて、前記第1のネットワークノードの主トランシーバが前記第2のネットワークノードとのTWT通信を実行するターゲット起動時点を調整し、前記第2のネットワークノードと通信すること
を含む、請求項35に記載の装置。
【請求項３７】
前記通信パラメータが、前記TWTの最小TWTウェイク期間を含む場合に、
前記通信ユニットが前記ターゲットパラメータ値に基づいて前記第2のネットワークノードと通信することが、特に、
前記ターゲットパラメータ値に基づいて、前記第1のネットワークノードの主トランシーバが前記第2のネットワークノードとのTWT通信を実行する最小起動期間を調整し、前記第2のネットワークノードと通信すること
を含む、請求項35に記載の装置。
【請求項３８】
前記通信パラメータが、前記TWTのTWTウェイク間隔仮数（TWT Wake Interval Mantissa）およびTWTウェイク間隔指数（TWT Wake Interval Exponent）を含む場合に、
前記通信ユニットが前記ターゲットパラメータ値に基づいて前記第2のネットワークノードと通信することが、特に、
前記ターゲットパラメータ値に基づいて、前記第1のネットワークノードの主トランシーバが前記第2のネットワークノードとのTWT通信を実行する起動期間間隔を調整し、前記第2のネットワークノードと通信すること
を含む、請求項35に記載の装置。
【請求項３９】
前記ウェイクアップパケットが、TWTパラメータ過負荷フィールドを含み、前記TWTパラメータ過負荷フィールドが、パラメータ過負荷ビットを含み、
前記パラメータ過負荷ビットがTWTパラメータ過負荷を示すとき、前記TWTパラメータ過負荷フィールドが、前記TWT要素の前記少なくとも1つの更新パラメータである前記ターゲットパラメータ値を含み、
前記通信ユニットが前記ターゲットパラメータ値に基づいて前記第2のネットワークノードと通信することが、特に、
前記ターゲットパラメータ値に基づいて、前記第1のネットワークノードの主トランシーバが前記第2のネットワークノードとのTWT通信を実行するためのパラメータを調整し、前記第2のネットワークノードと通信すること
を含む、請求項35に記載の装置。
【請求項４０】
前記第2のネットワークノードの前記送信動作モードパラメータが、送信可能ストリームの最大量および送信電力情報を含み、
前記送信電力情報が、前記第2のネットワークノードの最大送信電力または前記第2のネットワークノードの送信電力変動指示情報であり、前記送信電力変動指示情報が、前記第2のネットワークノードのデータ伝送中に送信電力変動が許容されるかどうかを示すために使用される、
請求項35に記載の装置。
【請求項４１】
データ通信方法であって、
第2のネットワークノードによって送信されたウェイクアップパケットを第1のネットワークノードによって受信するステップであって、前記ウェイクアップパケットが、キャンセル命令情報を含み、前記キャンセル命令情報が、前記第1のネットワークノードと前記第2のネットワークノードとの間に予め確立されたターゲットウェイクアップ時間TWTをキャンセルするように命令するために使用される、ステップと、
前記第1のネットワークノードの主トランシーバによって、前記キャンセル命令情報に基づいて前記第2のネットワークノードと通信するステップと
を含むデータ通信方法。
【請求項４２】
第1のネットワークノードに適用されるデータ通信装置であって、
第2のネットワークノードによって送信されるウェイクアップパケットを受信するように構成される受信ユニットであって、前記ウェイクアップパケットが、キャンセル命令情報を含み、前記キャンセル命令情報が、前記第1のネットワークノードと前記第2のネットワークノードとの間に予め確立されたターゲットウェイクアップ時間TWTをキャンセルするように命令するために使用される、受信ユニットと、
前記キャンセル命令情報に基づいて前記第2のネットワークノードと通信するように構成される通信ユニットと
を備えるデータ通信装置。
【請求項４３】
コンピュータプログラムを記憶するように構成されるコンピュータ記憶媒体であって、前記コンピュータプログラムが、請求項1から14のいずれか一項に記載の方法を実行するために使用される、コンピュータ記憶媒体。
【請求項４４】
コンピュータプログラムであって、請求項1から14のいずれか一項に記載の方法を実行するために使用されるコンピュータプログラム。
【発明の詳細な説明】
【技術分野】
【０００１】
本発明は、無線ネットワーク技術の分野に関し、具体的には、データ通信方法および装置に関する。
【背景技術】
【０００２】
ワイヤレスフィデリティ（Wireless Fidelity、Wi−Fi）ネットワークでは、デバイスのエネルギーのかなりの部分が、アイドルリスニング（idle listening）に浪費されている。現在のレガシーの802．11プロトコル（802．11b、802．11a、802．11g、802．11n、および802．11acなど）における関連する解決策は、デバイスのスリープポリシーを最適化することに焦点を合わせている。スリープポリシーを最適化することに加えて、デバイスのidle listeningにおけるエネルギーの浪費を低減するための別の技術的アプローチであって、低電力ウェイクアップ受信機（Low Power Wake Up Receiver、LP−WUR）（本明細書では略してWUR）を使用する技術的アプローチがある。この技術的アプローチの中心概念は、受信端デバイス（STAなど）が、レガシーの802．11トランシーバ端（802．11 main radio、802．11主トランシーバモジュール、またはWi−Fi主トランシーバモジュール）に加えて低電力ウェイクアップ受信機（WUR）部をさらに含むことである。図3に示すように、802．11主トランシーバモジュールがディープスリープに移行した後に、低電力WURはウェイクアップされ、動作し始める。別のデバイス（例えば、図3の左側にあるAP）が、WURおよび802．11主トランシーバモジュールを有するデバイス（例えば、図3の右側にあるSTA）と通信する必要がある場合、APは最初に、WURウェイクアップパケット（Wake Up Packet、WUP）をWURに送信する。WURに送信されたWUPを正しく受信した後、WURは、STAの802．11主トランシーバモジュールをウェイクアップし、次にWUR自体はスリープに移行する。この場合、APは、起動している802．11主トランシーバモジュールと通信する。APとの通信を終了した後、802．11主トランシーバモジュールは、スリープに移行する。同時に、WURが、ウェイクアップされ、802．11主トランシーバモジュールをウェイクアップするために、WURに送信されたWUPがあるかどうかを検出する目的で再度リスニングを開始する。
【０００３】
この技術では、低電力WURは、媒体がアイドルであるときにチャネルをリッスンするために802．11主トランシーバモジュールに取って代わるように使用され（リスニング状態または受信状態のWURのエネルギー消費は802．11主トランシーバモジュールの約0．1〜1％、すなわち100uW未満であると予測される）、これにより、デバイスのidle listening中のエネルギーの浪費を効果的に低減することができる。
【０００４】
しかしながら、ウェイクアップ受信機を備えるSTAの主トランシーバは通常、比較的小さいデューティサイクルを有する。言い換えれば、STAの主トランシーバは、比較的長い時間、通常は数日、さらには数ヶ月にわたってスリープする。スリープ中、STAの主トランシーバが属する主BSSのパラメータは変更される。例えば、APとSTAの主トランシーバとの間の送信チャネルが別のチャネルに変更される。この場合、ウェイクアップされた後、STAの主トランシーバは、APと通信するために元のチャネルを依然として使用する。結果として、通信は失敗する。
【発明の概要】
【０００５】
本発明の実施形態は、APがウェイクアップパケットを使用してBSSパラメータ指示情報をSTAに送信することができることにより、STAの主トランシーバがAPと正常に通信することが有効に保証されるデータ通信方法および装置を提供する。
【課題を解決するための手段】
【０００６】
第1の態様によれば、本発明の一実施形態は、データ通信方法を提供し、本方法は、ステーションSTAによって実行され、STAは、STAに関連するAPとやりとりする。APは、ウェイクアップ後にSTAの主トランシーバが確実にAPと正常に通信できようにするためにBSSパラメータ指示情報をSTAに送信する。任意選択で、ステーションSTAは、アクセスポイントAPによって送信されたウェイクアップパケットを受信し、ウェイクアップパケットは、基本サービスセットBSSパラメータ指示情報を含み、BSSパラメータ指示情報は、BSSパラメータ変更指示情報、またはSTAの主トランシーバが現在属している主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。
【０００７】
可能な設計では、ウェイクアップパケットは、APによってユニキャスト方式でSTAに送信され、例えば、APが特定のSTAをウェイクアップする必要があるとき、APは、ウェイクアップパケットをSTAに送信し、ウェイクアップパケットは、BSSパラメータ指示情報を含み、あるいは、ウェイクアップパケットは、APによってブロードキャスト方式またはマルチキャスト方式でSTAに送信され、例えば、ウェイクアップパケットは、ウェイクアップビーコンフレームであり、ウェイクアップビーコンフレームは、BSSパラメータ指示情報を含む。STAがスリープ状態から起動状態に変更されると、STAは、BSSパラメータ指示情報に基づいてAPと通信することができる。
【０００８】
別の可能な設計では、BSSパラメータ指示情報は、BSSパラメータ変更指示情報を含み、BSSパラメータ変更指示情報は、APによってカウントされた第1の変更カウント値を含み、第1の変更カウント値は、主BSSの重要パラメータの変更回数を表すために使用され、STAは、STAによってカウントされた第2の変更カウント値が第1の変更カウント値と同じであるかどうかを検出し、第2の変更カウント値は、STAの主トランシーバが履歴的な起動状態にあるときの、主BSSの重要パラメータの変更回数を表すために使用され、第2の変更カウント値が第1の変更カウント値と異なる場合、STAの主トランシーバがスリープ状態にあるときに主BSSの重要パラメータは変更され、STAの主トランシーバがスリープ状態から起動状態に変更されるとき、STAの主トランシーバは、主BSSの最新の重要パラメータを取得し、最新の重要パラメータに基づいてAPと通信する。
【０００９】
別の可能な設計では、BSSパラメータ指示情報は、BSSパラメータ変更指示情報を含み、BSSパラメータ変更指示情報は、変更識別子を含み、変更識別子は、STAがスリープ状態にあるときに主BSSの重要パラメータが変更されたかどうかを示すために使用され、STAは、ウェイクアップパケット内の変更識別子の値を読み取り、変更識別子の値が第1の予め設定された値である場合、主BSSの重要パラメータが変更され、第1の予め設定された値は、主BSSの重要パラメータが変更されていることを示すために使用され、STAの主トランシーバがスリープ状態から起動状態に変更されるとき、STAの主トランシーバは、主BSSの最新の重要パラメータを取得し、この最新の重要パラメータに基づいてAPと通信する。
【００１０】
さらに、ウェイクアップパケットで搬送されるBSSパラメータ指示情報は、BSSパラメータ変更指示情報を含み、BSSパラメータ変更指示情報は、STAの主トランシーバが属する主BSSの重要パラメータのうちの、変更された重要パラメータの最新の値を含む。言い換えれば、この最新の値は、STAの主トランシーバがスリープ状態にあるときに主BSSの重要パラメータが変更されていることを示すために使用される。
【００１１】
別の可能な設計では、STAは、プローブ要求フレームをAPに送信し、プローブ要求フレームは主BSSの最新の重要パラメータを要求するために使用され、STAは、APによって返されるプローブ応答フレームを受信し、プローブ応答フレームは主BSSの最新の重要パラメータを搬送する。
【００１２】
別の可能な設計では、BSSパラメータ指示情報は、STAの主トランシーバが現在属している主BSSのターゲットパラメータを含み、ターゲットパラメータは、ビーコンフレームパラメータを含み、ビーコンフレームパラメータは、次のビーコンフレームの到着時間およびビーコンフレーム間隔のうちの少なくとも一方を含む。
【００１３】
別の可能な設計では、BSSパラメータ指示情報は、STAの主トランシーバが現在属している主BSSのターゲットパラメータを含み、ターゲットパラメータは、主BSSのチャネルパラメータを含み、主BSSのチャネルパラメータは、主BSSのチャネル番号、セカンダリチャネルオフセット指示、チャネル帯域幅、チャネル中心周波数、および周波数帯域番号のうちの少なくとも1つを含む。
【００１４】
別の可能な設計では、BSSパラメータ指示情報は、STAの主トランシーバが現在属している主BSSのターゲットパラメータを含み、ターゲットパラメータは、主BSSの競合チャネルの拡張分散チャネルアクセスEDCAパラメータを含み、主BSSのEDCAパラメータは、主BSSの競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む。
【００１５】
第2の態様によれば、本発明の一実施形態は、データ通信方法を提供する。本方法は、第1のネットワークノードによって実行され、第1のネットワークノードは、第2のネットワークノードとやりとりする。したがって、第2のネットワークノードは、通信パラメータが更新された後に取得されるターゲットパラメータ値を第1のネットワークノードに通知する。任意選択で、第1のネットワークノードは、APまたはSTAであり得る。第1のネットワークノードがAPである場合、第2のネットワークノードはSTAであり、あるいは、第1のネットワークノードがSTAである場合、第2のネットワークノードはAPである。例えば、第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ターゲットウェイクアップ時間TWT要素の少なくとも1つのパラメータおよび／または第2のネットワークノードの送信動作モードパラメータを含み、第1のネットワークノードは、ターゲットパラメータ値に基づいて第2のネットワークノードと通信する。
【００１６】
可能な設計では、通信パラメータが、TWTのターゲットウェイクアップ時間を含む場合、第1のネットワークノードは、ターゲットパラメータ値に基づいて、第1のネットワークノードの主トランシーバが第2のネットワークノードとのTWT通信を実行するターゲット起動時点を調整し、第2のネットワークノードと通信する。
【００１７】
別の可能な設計では、通信パラメータが、TWTの最小TWTウェイク期間を含む場合、第1のネットワークノードは、ターゲットパラメータ値に基づいて、第1のネットワークノードの主トランシーバが第2のネットワークノードとのTWT通信を実行する最小起動期間を調整し、第2のネットワークノードと通信する。
【００１８】
別の可能な設計では、通信パラメータが、TWTのTWTウェイク間隔仮数（TWT Wake Interval Mantissa）およびTWTウェイク間隔指数（TWT Wake Interval Exponent）を含む場合、第1のネットワークノードは、ターゲットパラメータ値に基づいて、第1のネットワークノードの主トランシーバが第2のネットワークノードとのTWT通信を実行する起動期間間隔を調整し、第2のネットワークノードと通信する。
【００１９】
別の可能な設計では、ウェイクアップパケットは、TWTパラメータ過負荷フィールドを含み、TWTパラメータ過負荷フィールドは、パラメータ過負荷ビットを含み、パラメータ過負荷ビットがTWTパラメータ過負荷を示すとき、TWTパラメータ過負荷フィールドは、TWT要素の少なくとも1つの更新パラメータであるターゲットパラメータ値を含む。第1のネットワークノードは、ターゲットパラメータ値に基づいて、第1のネットワークノードの主トランシーバが第2のネットワークノードとのTWT通信を実行するためのパラメータを調整し、第2のネットワークノードと通信する。
【００２０】
別の可能な設計では、第2のネットワークノードの送信動作モードパラメータは、送信可能ストリームの最大量および送信電力情報を含み、送信電力情報は、第2のネットワークノードの最大送信電力または第2のネットワークノードの送信電力変動指示情報であり、送信電力変動指示情報は、第2のネットワークノードのデータ伝送中に送信電力変動が許容されるかどうかを示すために使用される。
【００２１】
第3の態様によれば、本発明の一実施形態は、STAに適用されるデータ通信装置を提供する。データ通信装置は、受信ユニットおよび通信ユニットを含む。受信ユニットは、アクセスポイントAPによって送信されたウェイクアップパケットを受信し、ウェイクアップパケットが、基本サービスセットBSSパラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの重要パラメータが変更されたかどうかを示すために使用される、ように構成される。通信ユニットは、BSSパラメータ指示情報に基づいてAPと通信するように構成される。
【００２２】
第4の態様によれば、本発明の一実施形態は、第1のネットワークノードに適用されるデータ通信装置を提供する。データ通信装置は、受信ユニットおよび通信ユニットを含む。受信ユニットは、第2のネットワークノードによって送信されたウェイクアップパケットを受信し、ウェイクアップパケットが、ターゲットパラメータ値を含み、ターゲットパラメータ値が、第1のネットワークノードと第2のネットワークノードとの間の通信パラメータの更新値であり、通信パラメータが、ターゲットウェイクアップ時間TWT要素の少なくとも1つのパラメータおよび／または第2のネットワークノードの送信動作モードパラメータを含む、ように構成される。通信ユニットは、ターゲットパラメータ値に基づいて第2のネットワークノードと通信するように構成される。
【００２３】
第5の態様によれば、本発明の一実施形態は、STAに適用されるデータ通信装置を提供する。データ通信装置は、コンピュータ実行可能プログラムコードを記憶するように構成されるメモリと、トランシーバと、メモリおよびトランシーバと結合されるプロセッサとを含む。
【００２４】
プログラムコードは命令を含む。プロセッサが命令を実行すると、命令は、データ通信装置が、以下の動作、すなわち、アクセスポイントAPによって送信されたウェイクアップパケットを受信する動作であって、ウェイクアップパケットが、基本サービスセットBSSパラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの重要パラメータが変更されたかどうかを示すために使用される、動作と、BSSパラメータ指示情報に基づいてAPと通信する動作とを実行できるようにする。
【００２５】
第6の態様によれば、本発明の一実施形態は、第1のネットワークノードに適用されるデータ通信装置を提供する。データ通信装置は、コンピュータ実行可能プログラムコードを記憶するように構成されるメモリと、トランシーバと、メモリおよびトランシーバと結合されるプロセッサとを含む。
【００２６】
プログラムコードは命令を含む。プロセッサが命令を実行すると、命令は、データ通信装置が、以下の動作、すなわち、第2のネットワークノードによって送信されたウェイクアップパケットを受信する動作であって、ウェイクアップパケットが、ターゲットパラメータ値を含み、ターゲットパラメータ値が、第1のネットワークノードと第2のネットワークノードとの間の通信パラメータの更新値であり、通信パラメータが、ターゲットウェイクアップ時間TWT要素の少なくとも1つのパラメータおよび／または第2のネットワークノードの送信動作モードパラメータを含む、動作と、ターゲットパラメータ値に基づいて第2のネットワークノードと通信する動作とを実行できるようにする。
【００２７】
第7の態様によると、本発明の一実施形態は、第3の態様のデータ通信装置または第5の態様のデータ通信装置によって使用されるコンピュータソフトウェア命令を記憶するように構成されるコンピュータ記憶媒体を提供し、コンピュータソフトウェア命令は、第1の態様で提供されている方法を実行するために使用される。
【００２８】
第8の態様によれば、本発明の一実施形態は、第4の態様のデータ通信装置によって使用されるコンピュータソフトウェア命令を記憶するように構成されるコンピュータ記憶媒体を提供し、コンピュータソフトウェア命令は、第2の態様を実行するように設計されるプログラムを含む。
【００２９】
第9の態様によれば、本発明の一実施形態は、データ通信方法を提供する。第1のネットワークノードは、第2のネットワークノードによって送信されたウェイクアップパケットを受信し、ウェイクアップパケットは、キャンセル命令情報を含み、キャンセル命令情報は、第1のネットワークノードと第2のネットワークノードとの間に予め確立されたターゲットウェイクアップ時間TWTをキャンセルするように命令するために使用され、第1のネットワークノードの主トランシーバは、キャンセル命令情報に基づいて第2のネットワークノードと通信する。
【００３０】
第10の態様によれば、本発明の一実施形態は、第1のネットワークノードに適用されるデータ通信装置を提供する。データ通信装置は、受信ユニットおよび通信ユニットを含む。受信ユニットは、第2のネットワークノードによって送信されるウェイクアップパケットを受信し、ウェイクアップパケットが、キャンセル命令情報を含み、キャンセル命令情報が、第1のネットワークノードと第2のネットワークノードとの間に予め確立されたターゲットウェイクアップ時間TWTをキャンセルするように命令するために使用される、ように構成される。
【００３１】
通信ユニットは、キャンセル命令情報に基づいて第2のネットワークノードと通信するように構成される。
【００３２】
第11の態様によれば、本発明の一実施形態は、コンピュータ命令を提供し、コンピュータソフトウェア命令は、第1の態様で提供されている方法を実行するために使用される。
【００３３】
本発明の実施形態では、STAは、APによって送信されるウェイクアップパケットを受信し、ウェイクアップパケットは、BSSパラメータ指示情報を含み、パラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。このようにして、BSSパラメータ指示情報が、ウェイクアップパケットを使用してSTAに送信されるため、STAは、主BSSの現在の重要パラメータを正確に知ることができ、その結果、STAの主トランシーバが、ウェイクアップ後にAPと正常に通信することが有効に保証される。
【００３４】
本発明の実施形態または背景技術の技術的解決策をより明確に説明するために、以下では、本発明の実施形態または背景技術を説明するために必要な添付図面について簡単に説明する。
【図面の簡単な説明】
【００３５】
【図１】本発明の一実施形態による適用シナリオの概略図である。
【図２】本発明の一実施形態による従来の信号リスニングおよびスリープポリシーの概略図である。
【図３】本発明の一実施形態による低電力受信機の可能な概略構成図である。
【図４ａ】本発明の一実施形態によるウェイクアップパケットのフレーム構造の概略図である。
【図４ｂ】本発明の一実施形態による別のウェイクアップパケットのフレーム構造の概略図である。
【図５】本発明の一実施形態によるデータ通信方法のフローチャートである。
【図６】本発明の一実施形態によるステーションウェイクアッププロセスの概略図である。
【図７】本発明の一実施形態による別のステーションウェイクアッププロセスの概略図である。
【図８】本発明の一実施形態によるビーコンフレームの到着時間の概略図である。
【図９】本発明の一実施形態によるビーコンフレーム指示の概略構成図である。
【図１０】本発明の一実施形態によるEDCAパラメータの概略図である。
【図１１】本発明の一実施形態による別のデータ通信方法のフローチャートである。
【図１２】本発明の一実施形態によるTWT要素の概略図である。
【図１３ａ】本発明の一実施形態によるデータ通信装置の概略構成図である。
【図１３ｂ】本発明の一実施形態による別のデータ通信装置の概略構成図である。
【図１４ａ】本発明の一実施形態によるさらに別のデータ通信装置の概略構成図である。
【図１４ｂ】本発明の一実施形態によるさらに別のデータ通信装置の概略構成図である。
【発明を実施するための形態】
【００３６】
以下では、本発明の実施形態の添付図面を参照して、本発明の実施形態について説明する。
【００３７】
本発明の実施形態は、ワイヤレスローカルエリアネットワーク（Wireless Local Area Network、WLAN）に適用することができる。現在、IEEE（英語：Institute of Electrical and Electronics Engineers）802．11シリーズ規格が、WLANに使用されている。WLANは、複数の基本サービスセット（Basic Service Set、BSS）を含むことができ、BSS内のネットワークノードは、ステーションである。ステーションには、アクセスポイント（Access Point、AP）ステーションと非アクセスポイントステーション（英語：None Access Point Station、略してNon−AP STA）とがある。各基本サービスセットは、1つのAPとこのAPに関連する複数のNon−AP STAとを含むことができる。本発明の実施形態におけるすべてのSTAは非アクセスポイントステーションであり、本発明の実施形態におけるすべてのAPはアクセスポイントステーションであることに留意されたい。
【００３８】
アクセスポイントステーションは、ワイヤレスアクセスポイントまたはホットスポットなどとも呼ばれる。数十〜数百メートルの典型的なカバレッジ半径を有するAPは、ユーザと有線ネットワークとを接続するためのアクセスポイントであり、主に住宅内、建物内、および構内に配置されるが、もちろん屋外に配置することもできる。有線ネットワークと無線ネットワークとを接続する橋に相当するAPは主に、様々な無線ネットワーククライアントを相互に接続し、次に無線ネットワークとイーサネット（登録商標）とを接続するために使用される。具体的には、APは、Wi−Fi（英語：Wireless Fidelity）チップを備えた端末デバイスまたはネットワークデバイスであり得る。任意選択で、APは、802．11ax規格をサポートするデバイスとすることができる。さらに、任意選択で、APは、802．11ac、802．11n、802．11g、802．11b、および802．11aなどの様々なWLAN規格をサポートするデバイスとすることができる。
【００３９】
非アクセスポイントステーション（英語：None Access Point Station、略してNon−AP STA）は、ワイヤレス通信チップ、ワイヤレスセンサ、またはワイヤレス通信端末、例えば、Wi−Fi通信機能をサポートする携帯電話、Wi−Fi通信機能をサポートするタブレットコンピュータ、Wi−Fi通信機能をサポートするセットトップボックス、Wi−Fi通信機能をサポートするスマートテレビ、Wi−Fi通信機能をサポートするスマートウェアラブルデバイス、Wi−Fi通信機能をサポートする車載通信デバイス、またはWi−Fi通信機能をサポートするコンピュータであってもよい。任意選択で、STAは、802．11ax規格をサポートすることができる。さらに、任意選択で、ステーションは、802．11ac、802．11n、802．11g、802．11b、および802．11aなどの様々なWLAN規格をサポートする。
【００４０】
ワイヤレスローカルエリアネットワークWLAN規格の発展に伴い、IEEE802．11タスクグループは、消費電力を低減するためのコア技術として低電力ウェイクアップ受信機（Low Power Wake Up Receiver、LP−WUR）を使用する802．11規格の研究開発作業の準備をしている。2016年6月に802．11規格のためにIEEEにSG（Study Group、研究グループ）が設立されており、2016年末までに略してWURとして知られているプロジェクトのためにTG（Task Group、タスクグループ）が設立される予定である。
【００４１】
Wi−Fiネットワークでは、デバイスのエネルギーのかなりの部分が、アイドルリスニング（idle listening）に浪費されている。現在のレガシーの802．11プロトコル（802．11b、802．11a、802．11g、802．11n、および802．11acなど）における関連する解決策は、デバイスのスリープポリシーを最適化することに焦点を合わせている。図2の第1の時間軸に示すように、デバイス（ワークステーション、STA、またはStationなど）がメッセージを送受信していない（例えば、No data段階にある）ときにチャネルが連続的にリッスンされる（すなわち、idle listeningを行う）場合、かなりのエネルギーが消費される。したがって、連続的なidle listeningのエネルギー消費を低減するために、データが送受信されていないときにSTAがディープスリープ（Deep Sleep）に移行することができるように、図2の第2の時間軸にはスリープスケジュール（Sleep Schedule）が導入されている。しかしながら、STAがディープスリープにあるとき、APは、STAと通信することができず、これら2つの間の送信は、STAがウェイクアップした後でしか実行することができない。これは、特定のレイテンシ（latency）をもたらす可能性がある。スリープスケジュールによってもたらされる大きなレイテンシを避けるために、STAは通常、受信する必要があるデータがあるかどうかをチェックするために特定のスリープポリシーに従って時々ウェイクアップされるが、これは、STAのスリープ効率を低下させる（長時間のスリープと比較して、STAが時々ウェイクアップされるものの、送受信する必要がある有用なデータがない場合により多くのエネルギーが消費される）。
【００４２】
スリープポリシーを最適化することに加えて、デバイスのidle listeningにおけるエネルギーの浪費を低減するための別の技術的アプローチであって、低電力ウェイクアップ受信機（Low Power Wake Up Receiver、LP−WUR）（本明細書では略してWUR）を使用する技術的アプローチがある。この技術的アプローチの中心概念は、受信端デバイス（STAなど）が、レガシーの802．11トランシーバ端（802．11 main radio、802．11主トランシーバモジュール、またはWi−Fi主トランシーバモジュール）に加えて低電力ウェイクアップ受信機（WUR）部をさらに含むことである。図3に示すように、802．11主トランシーバモジュールがディープスリープに移行した後に、低電力WURはウェイクアップされ、動作し始める。別のデバイス（例えば、図3の左側にあるAP）が、WURおよび802．11主トランシーバモジュールを有するデバイス（例えば、図3の右側にあるSTA）と通信する必要がある場合、APは最初に、WURウェイクアップパケット（WUP、Wake Up Packet、またはウェイクアップフレームと呼ばれる）をWURに送信する。WURに送信されたWUPを正しく受信した後、WURは、STAの802．11主トランシーバモジュールをウェイクアップし、次にWUR自体はスリープに移行する。この場合、APは、起動している802．11主トランシーバモジュールと通信する。APとの通信を終了した後、802．11主トランシーバモジュールは、スリープに移行する。同時に、WURが、ウェイクアップされ、802．11主トランシーバモジュールをウェイクアップするために、WURに送信されたWUPがあるかどうかを検出する目的で再度リスニングを開始する。
【００４３】
この技術では、低電力WURは、媒体がアイドルであるときにチャネルをリッスンするために802．11主トランシーバモジュールに取って代わるように使用され（リスニング状態または受信状態のWURのエネルギー消費は802．11主トランシーバモジュールの約0．1〜1％、すなわち100uW未満であると予測される）、これにより、デバイスのidle listening中のエネルギーの浪費を効果的に低減することができる。
【００４４】
低消費電力を実現するためには、WURの回路構成およびフレーム構造設計（WUPなど）などを比較的単純にし、その複雑度を低くする必要がある。例えば、WUR回路構造は、エネルギー検出（energy detect）部および無線周波数（RF、radio frequency）部しか含むことができず、したがって、いくつかの複雑な変調方式を復調することができない。したがって、実施が容易なオンオフキーイング（On−Off Keying、OOK）変調方式、二位相偏移キーイング（Binary Phase Shift Keying、BPSK）変調方式、または周波数偏移キーイング（Frequency Shift Keying、FSK）変調方式は、WUPに使用することができる。
【００４５】
可能なWUPフレーム構造を図4aに示す。前部には、Legacy 802．11 preamble（レガシー802．11プリアンブル）があり、これは、周囲の別の802．11デバイス（プリアンブルを検出する周囲の802．11デバイスは、ある期間の間チャネルを切り替えることができない）によって解釈され得るものであり、レガシー802．11デバイスからの干渉からウェイクアップパケットの後続部分を保護するために使用される。後部には、WUP payload（ペイロード）部分があり、これは、OOKを使用して変調され、WURによってのみ解釈され得る。この部分は、ウェイクアッププリアンブル（Wake−Up Preamble）（WUP信号を認識するために使用される）、MAC Header（異なるWURを区別するために使用されるWUR IDを含む）、frame body（何らかの他の情報を搬送することができるフレームキャリア）、FCS（Frame Check Sequence、フレームチェックシーケンス）（受信データが送信データと同じであることを保証するために使用される）を含むことができる。本明細書におけるWUR ID情報は、部分的もしくは完全なステーション関連識別子、またはAPによって割り当てられたステーションのWUR識別子、またはステーションの受信機MACアドレスもしくは部分的な受信機MACアドレス、または異なるステーションのWURを区別するために使用され得る他の情報とすることができる。さらに、20M帯域幅の基本単位で送信される802．11レガシープリアンブルとは異なり、WURペイロード部分は、狭帯域を使用して送信することができる。例えば、狭帯域は、1M、2M、4M、8M、および16Mとすることができる。WURロード部分は、20M帯域幅の基本単位で送信することもできる。
【００４６】
図4bは、802．11レガシープリアンブル、ウェイクアッププリアンブル、シグナリングフィールド（AP識別子、WUR ID、および変調符号化方式指示などの何らかの物理層シグナリングを搬送するために使用される）、MACヘッダ、フレームボディ、ならびにフレームチェックシーケンスを含む別の可能なWUPフレーム構造を示す。
【００４７】
ウェイクアップ受信機を備えるSTAの主トランシーバは通常、比較的小さいデューティサイクルを有する。言い換えれば、STAの主トランシーバは、比較的長い時間、通常は数日、さらには数ヶ月にわたってスリープする。しかしながら、スリープ時間の間に、STAの主トランシーバが属する主BSSの重要パラメータは変更される、すなわち、APによって管理される、BSSの重要パラメータは変更される。例えば、APとSTAの主トランシーバとの間の送信チャネルが別のチャネルに変更される。ウェイクアップされた後、STAの主トランシーバは、APと通信するために元のチャネルを依然として使用する。この場合、通信は失敗する。本発明の主な目的は、この問題を解決することであり、主な解決策は、APがウェイクアップパケットを使用してBSSパラメータ情報をSTAに送信し、STAがBSSパラメータ情報を使用してAPと通信することができるというものである。
【００４８】
もちろん、BSSの重要パラメータは、（プライマリチャネルの）チャネル番号に限定されず、タイムスタンプ、周波数帯域番号、帯域幅中心周波数、拡張分散チャネルアクセス（enhanced distributed channel access、EDCA）パラメータ、ビーコンフレームの到着時間、およびビーコンフレーム間隔などをさらに含む。例えば、STAは比較的長い時間にわたってスリープするため、内部クロックはシフトされる、すなわち、内部クロックはAPのクロックと異なる。その後、APは、ウェイクアップパケットをSTAのウェイクアップ受信機に送信し、STAの主トランシーバが時点T1にウェイクアップされることを要求する。しかしながら、クロックシフトの問題に起因して、STAの主トランシーバは、間違った時間にウェイクアップされる。これにより通信障害が発生する。
【００４９】
図1は、1つのAPとこのAPに関連する3つのSTAを含む、典型的なWLAN配置シナリオにおけるシステムの概略図である。APは、STA1、STA2、およびSTA3と別々に通信することができる。各STAは、図3に示されている構造を有することができ、すなわち、802．11主トランシーバモジュールとLP−WURモジュールとの両方を含むことができ、LP−WURモジュールは、APによって送信されるウェイクアップパケットを受信し、802．11主トランシーバモジュールをウェイクアップするように構成されることに留意されたい。
【００５０】
本発明の実施形態では、APは、APに関連する少なくとも1つのステーションSTAにウェイクアップパケットを送信し、例えば、図1のSTA1、STA2、およびSTA3の少なくとも1つにウェイクアップパケットを送信し、このウェイクアップパケットは、BSSパラメータ指示情報を含み、このパラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。これにより確実に、STAの主トランシーバは、ウェイクアップ後にAPと正常に通信することができる。
【００５１】
以下では、図5〜図12を参照して、本発明の実施形態で提供されるデータ通信方法について説明する。
【００５２】
図5は、本発明の一実施形態によるデータ通信方法の概略フローチャートである。本発明のこの実施形態では、この方法は、STAによって実行される。図5に示すように、本発明のこの実施形態におけるデータ通信方法は、ステップS100およびS101を含む。
【００５３】
S100．ステーションSTAは、アクセスポイントAPによって送信されたウェイクアップパケットを受信し、ウェイクアップパケットは、基本サービスセットBSSパラメータ指示情報を含み、BSSパラメータ指示情報は、BSSパラメータ変更指示情報、またはSTAの主トランシーバが現在属している主BSSのターゲットパラメータを含み、BSSパラメータ変更指示情報は、STAの主トランシーバがスリープ状態にあるときに主BSSの重要パラメータが変更されたかどうかを示すために使用される。
【００５４】
S101．STAの主トランシーバは、BSSパラメータ指示情報に基づいてAPと通信する。
【００５５】
本発明のこの実施形態では、図6に示すように、APは、ウェイクアップパケットを単一のSTAに送信する。ウェイクアップパケットを受信した後、STAは、主トランシーバをウェイクアップするようにトリガされる。スリープからウェイクアップされるまでの移行時間の後、STAは、STAがウェイクアップされたことをAPに通知するためにPS−Pollフレームまたは肯定応答フレームをAPに送信する。その後、APは、STAに肯定応答（Acknowledgement、Ack）フレームを返すか、またはデータを直接転送する。さらに、図6において、代替的にAPは、STAがウェイクアップされた後、STAがPS−Pollフレームを送信するのを待たずにデータフレームをSTAに直接送信してもよい。ウェイクアップパケットは、APによってユニキャスト方式でSTAに送信されてもよく、あるいはAPによってマルチキャスト方式またはブロードキャスト方式で複数のSTAに送信されてもよいことに留意されたい。例えば、ウェイクアップパケットは、ウェイクアップビーコンフレームである。ウェイクアップビーコンフレームは、802．11ビーコンフレームと同様の構造を有し、要素を直列に接続することによって形成される。ウェイクアップビーコンフレームは、802．11フレームと同じように定期的にブロードキャストされ、ウェイクアップ無線の対応するパラメータを含む。ウェイクアップされた後に主トランシーバが正常に動作するのを助けるために、ウェイクアップビーコンフレームは、主トランシーバが現在属している主BSSの重要パラメータまたは変更指示フィールドを依然として搬送する必要がある。
【００５６】
STAの主トランシーバのスリープ時間中、APおよびSTAの主トランシーバが属する主BSSの重要パラメータ、例えば、（主チャネルの）チャネル番号、タイムスタンプ、周波数帯域番号、帯域幅中心周波数、EDCAパラメータ、ビーコンフレームの到着時間、およびビーコンフレーム間隔は変更される場合がある。ウェイクアップされた後に確実にSTAの主トランシーバが正常に動作できるようにするために、主BSSの、すべてのBSSパラメータが、ウェイクアップされた後に確実にSTAの主トランシーバが正常に動作できるようにウェイクアップされる必要があることをSTAに通知するために、ウェイクアップパケットに追加される場合、その結果、ウェイクアップパケットは過度に長くなる。本発明は、ウェイクアップパケットを単純化し、ウェイクアップされたSTAが正常な通信を確実に実行できるようにする必要がある。
【００５７】
本発明のこの実施形態におけるウェイクアップパケットは、BSSパラメータ指示情報を含み、BSSパラメータ指示情報は、STAの主トランシーバが属する主BSSの重要パラメータがSTAの主トランシーバがスリープ状態にあるときに変更されたかどうかを示すために使用されるBSSパラメータ変更指示情報とすることができる。例えば、BSSパラメータ変更指示情報は、主BSSの重要パラメータの変更回数を表すために使用される、APによってカウントされた変更カウント値であってもよく、または、BSSパラメータ変更指示情報は、APによってSTAに配信される変更識別子であってもよく、または、BSSパラメータ変更指示情報は、主BSSの重要パラメータのうちの、STAの主トランシーバがスリープ状態にあるときに変更された重要パラメータの最新値であってもよい。
【００５８】
さらに、BSSパラメータ指示情報は、代替的に、STAの主トランシーバが現在属している主BSSのターゲットパラメータとすることができる。ターゲットパラメータは、予め設定される重要パラメータ、例えば、経験値に基づいて予め設定される変更可能な少なくとも1つの重要パラメータであってもよく、あるいは、ターゲットパラメータは、主BSSの重要ではないパラメータであってもよい。これは本発明では限定されない。APがウェイクアップパケットをSTAに配信するたびに、ウェイクアップパケットは、ターゲットパラメータを含む。もちろん、ターゲットパラメータは、変更されないパラメータを含むことができる。
【００５９】
任意選択の実施態様では、BSSパラメータ指示情報は、BSSパラメータ変更指示情報を含み、BSSパラメータ変更指示情報は、APによってカウントされた第1の変更カウント値を含み、第1の変更カウント値は、主BSSの重要パラメータの変更回数を表すために使用される。APは、定期的に第1の変更カウント値をブロードキャストするか、または第1の変更カウント値を単一のステーションに通知するためにユニキャストフレームを送信する。例えば、第1の変更カウント値は、ビーコンフレーム（beacon）または関連応答フレームで搬送される。ステーションの主トランシーバがスリープした後、APは、ウェイクアップされる必要があるステーションのウェイクアップ受信機に第1の変更カウント値を送信するために第1の変更カウント値をウェイクアップパケットに引き続き追加するか、またはウェイクアップ受信機を備えるスリープ中のステーションにブロードキャスト方式で通知するためにウェイクアップビーコンフレームなどのフレームに第1の変更カウント値を追加する。
【００６０】
STAの主トランシーバがBSSパラメータ指示情報に基づいてAPと通信することは、以下のステップ1からステップ3を含む。
【００６１】
ステップ1：STAは、STAによってカウントされた第2の変更カウント値が第1の変更カウント値と同じであるかどうかを検出し、第2の変更カウント値は、STAの主トランシーバが履歴的な起動状態にあるときの、主BSSの重要パラメータの変更回数を表すために使用される。
【００６２】
STAによってカウントされた第2の変更カウント値が第1の変更カウント値と同じであるかどうかを検出する動作は、STAがウェイクアップパケットを受信した後に実行されてもよく、すなわち、主トランシーバがスリープ状態から起動状態に変更される期間に実行されてもよく、あるいはSTAの主トランシーバがウェイクアップされた後に実行されてもよい。
【００６３】
ステップ2：第2の変更カウント値が第1の変更カウント値と異なる場合、STAの主トランシーバがスリープ状態にあるときに主BSSの重要パラメータは変更されている。
【００６４】
ステップ3：STAの主トランシーバがスリープ状態から起動状態に変更されるとき、STAの主トランシーバは、主BSSの最新の重要パラメータを取得し、この最新の重要パラメータに基づいてAPと通信する。
【００６５】
一実施形態では、ウェイクアップパケットは、BSSパラメータ変更指示情報を搬送し、BSSパラメータ変更指示情報は、APによってカウントされた第1の変更カウント値を含み、第1の変更カウント値は、主BSSの重要パラメータの変更回数を表すことができる。例えば、主BSSの重要パラメータの変更が行われていた場合、第1の変更カウント値は、予め設定された固定値だけインクリメントされ、予め設定された固定値は、1、2、または3などであり得る。
【００６６】
さらに、各STAは、第2の変更カウント値も有し、第2の変更カウント値は、STAの主トランシーバが履歴的な起動状態にあるときの、主BSSの重要パラメータの変更回数を表すために使用される。すなわち、STAの主トランシーバがスリープ状態にあるとき、第2の変更カウント値はもはや変更されず、主BSSの重要パラメータが変更されても、第2の変更カウント値はもはや増加されない。第1の変更カウント値の増加方法は第2の変更カウント値と同じであることに留意されたい。
【００６７】
本発明のこの実施形態は、BSSパラメータ変更指示情報がトークン数であると仮定して説明される。APおよびSTAはそれぞれ、1つのトークン数を有し、APのトークン数は、第1の変更カウント値であり、STAのトークン数は、第2の変更カウント値である。
【００６８】
主トランシーバが属するBSSの重要パラメータが変更されるたびに、APのトークン数は1ずつ増加される（1は本明細書における一例に過ぎず、2または別の数を使用することもできる）。例えば、主トランシーバが属する主BSSの主チャネル番号が変更された場合、APのトークン数は1だけ増加される。同じ重要パラメータが2回変更されても、トークン数は2回増加されることに留意されたい。
【００６９】
APは、定期的にトークン数をブロードキャストするか、またはトークン数を単一のSTAに通知するためにユニキャストフレームを送信する。例えば、トークン数は、ビーコンフレーム（beacon）または関連応答フレームで搬送される。STAの主トランシーバが起動状態にあるとき、トークン数を受信した後、STAは、トークン数を記憶するか、または以前に記憶したトークン数を置き換える。このようにして、STAの主トランシーバが起動状態にあるとき、APのトークン数とSTAのトークン数は同じになる。STAの主トランシーバが起動状態からスリープ状態に変更された後、STAのトークン数はもはや変更されない。STAの主トランシーバが属する主BSSの重要パラメータが、STAの主トランシーバがスリープ状態にあるときに変更されている場合、APのトークン数は、STAのトークン数と異なり得る。
【００７０】
APがSTAをウェイクアップする必要があるとき、APは、APのトークン数をウェイクアップパケットに追加し、ウェイクアップパケットをSTAのウェイクアップ受信機に送信するか、または、APは、ウェイクアップビーコンフレームなどのフレームにAPのトークン数を追加し、ウェイクアップ受信機を備えるスリープ中のSTAにブロードキャスト方式でウェイクアップビーコンフレームを送信する。
【００７１】
ウェイクアップビーコンフレームは、802．11ビーコンフレームと同様の構造を有し、要素を直列に接続することによって形成される。しかしながら、802．11フレームと同じように定期的にブロードキャストされることに加えて、ウェイクアップビーコンフレームもまた、ウェイクアップ無線の対応するパラメータを含む。
【００７２】
APのトークン数を受信した後、STAは、APのトークン数とローカルに記憶されているトークン数とを比較する（STAによってローカルに記憶されているトークン数は、STAの履歴的な起動状態のときの、STAの主トランシーバが属する主BSSの重要パラメータの変更回数を表す）。トークン数が同じである場合、それは、主トランシーバが属するBSSの重要パラメータが変更されていないことを示し、あるいは、トークン数が異なる場合、それは、主トランシーバが属するBSSの重要パラメータが変更されていることを示す。
【００７３】
主BSSの重要パラメータは、以下のうちの1つ以上であり得る。
【００７４】
1．主BSSのチャネル、例えば、主チャネル番号、周波数帯域番号、帯域幅中心周波数、およびセカンダリチャネルオフセット値などが変更される。
【００７５】
2．主BSSのEDCA（拡張分散チャネルアクセス）パラメータが変更される。
【００７６】
STAの主トランシーバがウェイクアップされた後（主トランシーバは、APによって送信されるウェイクアップパケットを使用してウェイクアップされてもよく、あるいはAPとの間で事前に合意された時間に基づいて自動的にウェイクアップされてもよい）。主トランシーバが属する主BSSの重要パラメータが変更されている場合、主BSSの最新の重要パラメータを返すようにAPに要求するために、probe request（プローブ要求フレーム）がAPに送信される。STAのプローブ要求フレームを受信した後、APは、probe responseプローブ応答フレームを返し、プローブ応答フレームは、主BSSの最新の重要パラメータを含む。
【００７７】
前述の最新の重要パラメータは、主BSSの、すべての重要パラメータの最新の値であってもよく、あるいは、前述の最新の重要パラメータは、主BSSの、すべての重要パラメータのうちの変更された重要パラメータの値であってもよく、変更されていない重要パラメータを含まないことに留意されたい。最新の重要パラメータが、主BSSの、すべての重要パラメータのうちの変更された重要パラメータの値である場合、STAがAPからの最新の重要パラメータを要求するとき、STAは、STAのトークン数をAPに報告することができ、これにより、APは、どの重要パラメータが変更されたかを判定し、変更された重要パラメータの値をSTAに配信することができる。
【００７８】
前述の具体的なプロセスは、図7に示されたものであり得る。例えば、APは、APのトークン数3を含むウェイクアップパケットをSTAに送信し、STAは、STAのトークン数2とAPのトークン数とを比較し、これらが異なると判断し、このため、STAは、STAのトークン数2をプローブ要求フレームに追加し、プローブ要求フレームをAPにフィードバックする。
【００７９】
STAのトークン数がAPのトークン数と同じである場合、STAの主トランシーバは、ウェイクアップ後にPS−PollフレームまたはAckフレームをAPに送信するか、またはAPがデータをSTAに送信するのを待つことを理解することができる。具体的なプロセスは、図6に示されており、本明細書では詳細は再度説明していない。別の実施態様では、STAは、ウェイクアップ無線送信端を有し、ウェイクアップ無線送信端は、ウェイクアップパケットに応答して即座に肯定応答フレームを送信する、すなわち、ウェイクアップパケットを受信した後、短いフレーム間間隔（short inter−frame space、略してSIFS）の時間間隔の後に肯定応答フレームを送信する。次に、ステーションの主トランシーバがウェイクアップされた後、APは、データをステーションに送信する。
【００８０】
別の任意選択の実施態様では、BSSパラメータ指示情報は、BSSパラメータ変更指示情報を含み、BSSパラメータ変更指示情報は、変更識別子を含み、変更識別子は、STAがスリープ状態にあるときに主BSSの重要パラメータが変更されたかどうかを示すために使用される。
【００８１】
STAの主トランシーバがBSSパラメータ指示情報に基づいてAPと通信することは、以下のステップ1からステップ3を含む。
【００８２】
ステップ1：STAは、ウェイクアップパケット内の変更識別子の値を読み取る。
【００８３】
ステップ2：変更識別子の値が、主BSSの重要パラメータが変更されていることを示すために使用される第1の予め設定された値である場合、主BSSの重要パラメータは変更されている。
【００８４】
ステップ3：STAの主トランシーバがスリープ状態から起動状態に変更されるとき、STAの主トランシーバは、主BSSの最新の重要パラメータを取得し、この最新の重要パラメータに基づいてAPと通信する。
【００８５】
一実施形態では、ウェイクアップパケットで搬送されるBSSパラメータ指示情報は、BSSパラメータ変更指示情報を含み、BSSパラメータ変更指示情報は、変更識別子を含み、変更識別子は、STAの主トランシーバが属する主BSSの重要パラメータがSTAがスリープ状態にあるときに変更されたかどうかを示すために使用される。例えば、変更識別子は、変更ビットであってもよく、「1」は、STAの主トランシーバが属する主BSSの重要パラメータがSTAの主トランシーバがスリープ状態にあるときに変更されていることを示し、「0」は、STAの主トランシーバが属する主BSSの重要パラメータがSTAの主トランシーバがスリープ状態にあるときに変更されていないことを示す。
【００８６】
任意選択で、APは、ウェイクアップパケットをSTAに送信し、ウェイクアップパケットは、変更ビット（すなわち、変更識別子）を搬送し、変更ビットは、STAの主トランシーバが属する主BSSの重要パラメータが変更されたかどうかを、ウェイクアップされる必要があるSTAに通知するために使用される。APは、APに関連する各STAがスリープ状態に入った時間を記録する必要があることに留意されたい。このようにして、APは、STAの主トランシーバが属する主BSSの重要パラメータがSTAの主トランシーバがスリープ状態にあるときに変更されたかどうかを正確に判定することができる。
【００８７】
任意選択で、変更ビットを含むウェイクアップパケットは、代替的にウェイクアップビーコンフレームであってもよい。言い換えれば、APは、APの周囲のSTAに通知するためにウェイクアップビーコンフレームを定期的にブロードキャストする。例えば、主BSSの重要パラメータが変更されたとき、APは、ウェイクアップビーコンフレームを1回ブロードキャストし、ウェイクアップビーコンフレームは、主BSSの重要パラメータが変更されていることを示すために使用される変更ビットを搬送する。
【００８８】
変更ビットが、STAの主トランシーバが属する主BSSの重要パラメータが変更されていることを示す場合、STAは、ウェイクアップ後にプローブ要求フレームをAPに送信し、次に、APは、プローブ応答フレームをSTAに返す。変更ビットが、STAの主トランシーバが属する主BSSの重要パラメータが変更されていないことを示す場合、STAは、PS−PollフレームまたはAckフレームをAPに送信するか、またはAPがデータをSTAに送信するのを待つ。具体的なプロセスは、図6に示されており、本明細書では詳細は再度説明していない。
【００８９】
さらに、ウェイクアップパケットで搬送されるBSSパラメータ指示情報は、BSSパラメータ変更指示情報を含み、BSSパラメータ変更指示情報は、STAの主トランシーバが属する主BSSの重要パラメータのうちの、変更された重要パラメータの最新の値を含む。言い換えれば、この最新の値は、STAの主トランシーバがスリープ状態にあるときに主BSSの重要パラメータが変更されていることを示すために使用される。
【００９０】
具体的には、任意選択で、APは、ウェイクアップパケットをSTAに送信し、ウェイクアップパケットは、変更された重要パラメータの最新の値を搬送する。APは、APに関連する各STAがスリープ状態に入った時間を記録する必要があることに留意されたい。このようにして、APは、STAの主トランシーバが属する主BSSのどの重要パラメータがSTAの主トランシーバがスリープ状態にあるときに変更されたかを正確に判定することができる。
【００９１】
任意選択で、変更された重要パラメータの最新の値を含むウェイクアップパケットは、代替的にウェイクアップビーコンフレームであってもよい。言い換えれば、APは、APの周囲のSTAに通知するためにウェイクアップビーコンフレームを定期的にブロードキャストする。例えば、主BSSの重要パラメータが変更されたとき、APは、ウェイクアップビーコンフレームを1回ブロードキャストし、ウェイクアップビーコンフレームは、変更された重要パラメータの最新の値を搬送する。
【００９２】
STAがスリープ状態から起動状態に変更された後、STAは、最新の値を使用してAPと通信する。
【００９３】
任意選択で、変更された重要パラメータは、ビーコンフレームパラメータを含むことができ、ビーコンフレームパラメータは、次のビーコンフレームの到着時間およびビーコンフレーム間隔のうちの少なくとも一方を含む。
【００９４】
具体的には、ビーコンフレームは、主BSSのいくつかの重要なパラメータを搬送する。APは通常、ビーコンフレームを定期的に送信する。主トランシーバが属する主BSSのビーコンフレームパラメータが変更されている場合、ウェイクアップパケットは、ビーコンフレームパラメータの最新の値を含むことができ、ビーコンフレームパラメータは、ビーコンフレームの到着時間およびビーコンフレーム間隔のうちの少なくとも一方を含むことができる。APは、ビーコンフレームパラメータの最新の値をSTAに通知し、これにより、STAの主トランシーバは、ウェイクアップ後に正しい時点でビーコンフレームを受信する。
【００９５】
任意選択で、次のビーコンフレームの到着時間は、特定の時間であってもよく、あるいはビーコン時間オフセット値であってもよく、このオフセット値、次のビーコンフレームの実際の到着時間と次のビーコンフレームの最初に合意された到着時間との差である。図8に示すように、時間変更は、ビーコン時間オフセット値である。
【００９６】
任意選択の実施態様では、ウェイクアップパケットは、ビーコンフレームの到着時間変更ビットを含む。図9に示すように、ビーコンフレームの到着時間変更ビットが、ビーコンフレームの到着時間が変更されていることを示す場合、ウェイクアップパケットは、次のビーコンフレームの到着時間を含む。別の方法では、ウェイクアップパケットは、ビーコンフレームの到着時間変更ビットおよび次のビーコンフレームの到着時間の両方を常に含む。
【００９７】
任意選択で、ウェイクアップパケットは、ビーコンフレーム間隔変更ビットをさらに含む。ビーコンフレーム間隔変更ビットが、ビーコンフレーム間隔が変更されていることを示す場合、ウェイクアップパケットは、新しいビーコンフレーム間隔をさらに含む。別の方法では、ウェイクアップパケットは、ビーコンフレーム間隔変更ビットおよびビーコンフレーム間隔の両方を常に含む。
【００９８】
前述のビーコンフレームパラメータは、ステーションに送信されるウェイクアップパケットに含まれるだけでなく、すべてのステーションにブロードキャストされるまたはマルチキャスト方式で1つ以上のステーショングループに送信される、ウェイクアップビーコンフレームなどのウェイクアップパケットにも含まれ得る。
【００９９】
任意選択で、変更された重要パラメータは、主BSSのチャネルパラメータを含むことができる。
【０１００】
主BSSのチャネルパラメータは、主BSSのチャネル番号、セカンダリチャネルオフセット指示、チャネル帯域幅、チャネル中心周波数、および周波数帯域番号のうちの少なくとも1つを含む。
【０１０１】
具体的には、STAの主トランシーバが属する主BSSのチャネルパラメータが変更され、APが、ウェイクアップパケットをスリープ中のSTA（ウェイクアップ受信機はオン状態にあり、主トランシーバはスリープ状態にある）に送信するとき、ウェイクアップパケットは、ウェイクアップされるSTAの主トランシーバに正しいチャネルでAPと通信するように命令するために、主BSSのチャネル番号、セカンダリチャネルオフセット指示、チャネル帯域幅、チャネル中心周波数（チャネル中心周波数1およびチャネル中心周波数2を含む）、ならびに周波数帯域番号のうちの少なくとも1つを含む。
【０１０２】
チャネル変更指示情報は、STAに送信されるウェイクアップパケットに含まれるだけでなく、すべてのSTAにブロードキャストされるまたはマルチキャスト方式で1つ以上のSTAグループに送信される、ウェイクアップビーコンフレームなどのウェイクアップパケットにも含まれ得る。
【０１０３】
チャネル番号は、プライマリチャネル番号であってもよく、セカンダリチャネルオフセット指示ビットは、セカンダリチャネルの周波数がプライマリチャネルの周波数（または参照番号）より低いか高いかを示す。
【０１０４】
以下の表に、チャネル帯域幅の指示を示す。
【０１０５】
【表１】
2019537360.tif 000003
【０１０６】
以下の表に、チャネル中心周波数の指示を示す。
【０１０７】
【表２】
2019537360.tif 000004
【０１０８】
以下の表に、周波数帯域番号の指示を示す。
【０１０９】
【表３】
2019537360.tif 000005
【０１１０】
任意選択で、変更された重要パラメータは、主BSSの競合チャネルの拡張分散チャネルアクセスEDCAパラメータをさらに含むことができる。
【０１１１】
主BSSのEDCAパラメータは、主BSSの競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つ、または少なくとも1つの、これらのサブパラメータセットを含む。
【０１１２】
具体的には、STAの主トランシーバが属する主BSSの競合チャネルのEDCA関連パラメータが変更され、APが、ウェイクアップパケットをスリープ中のSTA（ウェイクアップ受信機はオン状態にあり、主トランシーバはスリープ状態にある）に送信するとき、図10に示すように、ウェイクアップパケットは、QoS Infoフィールド、AC＿BE（ベストエフォートトラフィック、Best effort）パラメータ、AC＿BK（バックグラウンドトラフィック、background）パラメータ、AC＿VI（ビデオトラフィック、video）パラメータ、およびAC＿VO（音声トラフィック、voice）パラメータなどを含む。ACは、アクセスカテゴリ（access category）を示す。各カテゴリのアクセストラフィックは、調停フレーム間間隔数（Arbitration Inter Frame Spacing Number、AIFSN）、CWminの指数形式（Exponent form of CWmin、ECWmin）、CWmaxの指数形式（Exponent form of CWmax、ECWmax）、および送信機会制限（Transmission Opportunity Limit、TXOPLimit）をさらに含む。
【０１１３】
EDCAパラメータは、STAに送信されるウェイクアップパケットに含まれるだけでなく、すべてのSTAにブロードキャストされるまたはマルチキャスト方式で1つ以上のSTAグループに送信される、ウェイクアップビーコンフレームなどのウェイクアップパケットにも含まれ得る。
【０１１４】
さらに別の実施態様では、BSSパラメータ指示情報は、STAの主トランシーバが現在属している主BSSのターゲットパラメータを含み、ターゲットパラメータは、ビーコンフレームパラメータを含む。
【０１１５】
ビーコンフレームパラメータは、次のビーコンフレームの到着時間およびビーコンフレーム間隔のうちの少なくとも一方を含む。
【０１１６】
さらに別の実施態様では、BSSパラメータ指示情報は、STAの主トランシーバが現在属している主BSSのターゲットパラメータを含み、ターゲットパラメータは、主BSSのチャネルパラメータを含む。
【０１１７】
主BSSのチャネルパラメータは、主BSSのチャネル番号、セカンダリチャネルオフセット指示、チャネル帯域幅、チャネル中心周波数、および周波数帯域番号のうちの少なくとも1つを含む。
【０１１８】
さらに別の実施態様では、BSSパラメータ指示情報は、STAの主トランシーバが現在属している主BSSのターゲットパラメータを含み、ターゲットパラメータは、主BSSの競合チャネルの拡張分散チャネルアクセスEDCAパラメータを含む。
【０１１９】
主BSSのEDCAパラメータは、主BSSの競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つ、または少なくとも1つの、これらのサブパラメータセットを含む。
【０１２０】
特定の実施形態では、APによってSTAに送信されるBSSパラメータ指示情報は、STAの主トランシーバが現在属している主BSSのターゲットパラメータを含むことができる。ターゲットパラメータは、予め設定される重要パラメータ、例えば、経験値に基づいて決定される変更可能な少なくとも1つの重要パラメータであってもよい。APがウェイクアップパケットをSTAに送信するたびに、ウェイクアップパケットは、主BSSの現在のターゲットパラメータを含む。STAのスリープ時間中に、ターゲットパラメータは変更されても変更されなくてもよい。しかしながら、確実にSTAがAPと正常に通信できるようにするためには、ターゲットパラメータが、STAに送信される。STAがスリープ状態から起動状態に変更された後、STAは、ターゲットパラメータを使用してAPと通信する。このようにして、APが、同じタイプのターゲットパラメータを各STAに配信するため、APは、各STAのスリープ時間を記録する必要がない。
【０１２１】
本発明のこの実施形態では、STAは、APによって送信されるウェイクアップパケットを受信し、このウェイクアップパケットは、BSSパラメータ指示情報を含み、このパラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。このようにして、BSSパラメータ指示情報が、ウェイクアップパケットを使用してSTAに送信されるため、STAは、主BSSの現在の重要パラメータを正確に知ることができ、その結果、STAの主トランシーバが、ウェイクアップ後にAPと正常に通信することが有効に保証される。
【０１２２】
図11は、本発明の一実施形態による別のデータ通信方法の概略フローチャートである。本発明のこの実施形態は、一例として第1のネットワークノードを使用して説明される。第1のネットワークノードは、APまたはSTAであり得る。第1のネットワークノードがAPである場合、第2のネットワークノードはSTAであり、あるいは、第1のネットワークノードがSTAである場合、第2のネットワークノードはAPである。図11に示すように、本発明のこの実施形態におけるデータ通信方法は、ステップS200およびS201を含む。
【０１２３】
S200．第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ステーションの主トランシーバに関連するターゲットウェイクアップ時間TWT要素の少なくとも1つのパラメータおよび／または第2のネットワークノードの送信動作モードパラメータを含む。
【０１２４】
S201．第1のネットワークノードは、ターゲットパラメータ値に基づいて第2のネットワークノードと通信する。
【０１２５】
一実施形態では、第1のネットワークノードは、ウェイクアップ受信機を備え、第2のネットワークノードは、第1のネットワークノードをウェイクアップするためにウェイクアップパケットを第1のネットワークノードに送信する。ウェイクアップされた後、第1のネットワークノードは、第2のネットワークノードと通信する。第1のネットワークノードをウェイクアップするプロセスおよび第2のネットワークノードと通信するプロセスは通常、通信パラメータに基づいて実行されることに留意されたい。しかしながら、第1のネットワークノードがスリープ状態にあるとき、通信パラメータのパラメータ値は通常は変更される可能性がある、例えば、ネットワーク状態に基づいて変更される可能性がある。通信パラメータが変更されたとき、第2のネットワークノードは、ウェイクアップパケットを使用して第1のネットワークノードに通知する必要がある。
【０１２６】
本発明のこの実施形態における通信パラメータは、ターゲットウェイクアップ時間（Target wake up time、TWT）要素の少なくとも1つのパラメータおよび／または第2のネットワークノードの送信動作モードパラメータを含む。TWTは、APとSTAの主トランシーバとがウェイクアップ時間について合意するメカニズムである。STAは、消費電力を低減するために、ウェイク中の期間以外の期間はスリープ状態にあることができる。
【０１２７】
この実施形態は、第1のネットワークノードがSTAであり、第2のネットワークノードがAPであり、STAがウェイクアップ受信機を備えると仮定して以下に説明される。もちろん、代替的に、第1のネットワークノードがAPであり、第2のネットワークノードがSTAであり、APがウェイクアップ受信機を備えてもよい。
【０１２８】
APとSTAの主トランシーバとの間で以前にネゴシエートされたTWT要素の少なくとも1つのパラメータが変更されるか、またはAPとSTAの主トランシーバとの間に新しいTWTを確立する必要があるとき、APは、スリープ状態にあるSTAにウェイクアップパケットを送信する。この場合、STAのウェイクアップ受信機はオン状態にあり、STAの主トランシーバはスリープ状態にあり、ウェイクアップパケットは、APとSTAとの間のTWT要素の少なくとも1つの更新パラメータであるターゲットパラメータ値を含む。
【０１２９】
図12は、本発明の一実施形態によるTWT要素の概略構成図である。図12に示すように、TWT要素は、制御フィールド、要求タイプフィールド、ターゲットウェイクアップ時間フィールド、TWTグループ割り当てフィールド、最小TWTウェイク期間フィールド、TWTウェイク間隔仮数（TWT Wake Interval Mantissa）フィールド、TWTチャネルフィールド、およびヌルデータパケット（Null data packet、NDP）ページングフィールドを含む。
【０１３０】
要求タイプは、TWT要求フィールド、TWT確立コマンド、トリガ指示、暗示的指示、トラフィックタイプ、TWTトラフィック指示、TWTウェイク間隔指数（TWT Wake Interval Exponent）、およびTWT保護ビットなどを含む。TWTウェイク間隔＝TWTウェイク間隔仮数＊2（TWTウェイク間隔指数）。
【０１３１】
任意選択の実施態様では、通信パラメータがTWTのターゲットウェイクアップ時間を含む場合、
第1のネットワークノードがターゲットパラメータ値に基づいて第2のネットワークノードと通信するステップは、
第1のネットワークノードによってターゲットパラメータ値に基づいて、第1のネットワークノードの主トランシーバが第2のネットワークノードとのTWT通信を実行するターゲット起動時点を調整し、第2のネットワークノードと通信するステップ
を含む。
【０１３２】
特定の実施形態では、APとSTAとは、ターゲットウェイクアップ時間について事前に合意する。STAが、ターゲットウェイクアップ時間の更新に関する通知情報を受信しなかった場合、STAは、予め合意されたターゲットウェイクアップ時間にウェイクアップされ、APと通信する。しかしながら、APが、ネットワーク状態の変化または別の理由により、予め合意されたターゲットウェイクアップ時間にSTAと通信することができないときに、STAが、最初に予め合意されたターゲットウェイクアップ時間に依然としてウェイクアップされ、次にAPと通信すると、通信障害が発生する。本発明のこの実施形態では、APが、ターゲットウェイクアップ時間がターゲットパラメータ値に更新されたことを、ウェイクアップパケットを使用してSTAに通知することにより、APとSTAとの間の正常な通信が有効に保証される。
【０１３３】
例えば、APが、STAの主トランシーバに関して最初に合意された1つのターゲットウェイクアップ時間を延期するつもりである場合、APによって送信されるウェイクアップパケットは、ターゲットウェイクアップ時間が、延期されたターゲットウェイクアップ時間に更新されることを含む。このようにして、STAの主トランシーバは、最初に合意されたターゲットウェイクアップ時間に基づいてウェイクアップされなくなる。追加のターゲットウェイクアップ時間が同様に追加されてもよいことに留意されたい。
【０１３４】
別の任意選択の実施態様では、通信パラメータがTWTの最小TWTウェイク期間を含む場合、
第1のネットワークノードがターゲットパラメータ値に基づいて第2のネットワークノードと通信するステップは、
第1のネットワークノードによってターゲットパラメータ値に基づいて、第1のネットワークノードの主トランシーバが第2のネットワークノードとのTWT通信を実行する最小起動期間を調整し、第2のネットワークノードと通信するステップ
を含む。
【０１３５】
特定の実施形態では、APとSTAの主トランシーバとの間の通信期間は、TWTの最小TWTウェイク期間を調整することによって調整することができる。例えば、APが、予め合意されたターゲットウェイクアップ時間または更新されたターゲットウェイクアップ時間に、起動しているSTAの主トランシーバとのより長時間の通信を実行するつもりである場合、APは、ウェイクアップパケットを使用してTWTパラメータの最小TWTウェイク期間を変更する。ウェイクアップパケットを受信した後、STAは、構文解析によって最小TWTウェイク期間を取得する。STAは、最小TWTウェイク期間に基づいて、ウェイクアップ後の、APとの通信の期間を知ることができる。
【０１３６】
さらに別の任意選択の実施態様では、通信パラメータが、TWTのTWTウェイク間隔仮数およびTWTウェイク間隔指数を含む場合、
第1のネットワークノードがターゲットパラメータ値に基づいて第2のネットワークノードと通信するステップは、
第1のネットワークノードによってターゲットパラメータ値に基づいて、第1のネットワークノードの主トランシーバが第2のネットワークノードとのTWT通信を実行する起動期間間隔を調整し、第2のネットワークノードと通信するステップ
を含む。
【０１３７】
特定の実施形態では、STAの主トランシーバの起動期間間隔は、TWTパラメータのTWTウェイク間隔仮数およびTWTウェイク間隔指数を変更することによって調整することができる。例えば、デューティサイクルが変更される場合、APは、ウェイクアップパケットを使用してTWTパラメータのTWTウェイク間隔を変更することができる、すなわち、TWTパラメータのTWTウェイク間隔仮数およびTWTウェイク間隔指数を使用してTWTウェイク間隔を変更することができる。TWTウェイク間隔指数は図12の要求タイプフィールドにあることに留意されたい。
【０１３８】
さらに別の任意選択の実施態様では、ウェイクアップパケットは、TWTパラメータ過負荷フィールドを含み、TWTパラメータ過負荷フィールドは、1ビットまたは数ビットであり得るパラメータ過負荷ビットを含む。
【０１３９】
パラメータ過負荷ビットがTWTパラメータ過負荷を示すとき、TWTパラメータ過負荷フィールドは、TWT要素の少なくとも1つの更新パラメータであるターゲットパラメータ値を含む。
【０１４０】
第1のネットワークノードがターゲットパラメータ値に基づいて第2のネットワークノードと通信することは、
第1のネットワークノードによってターゲットパラメータ値に基づいて、第1のネットワークノードの主トランシーバが第2のネットワークノードとのTWT通信を実行するためのパラメータを調整し、第2のネットワークノードと通信すること
を含む。
【０１４１】
特定の実施形態では、ウェイクアップパケットは、TWTパラメータ過負荷フィールドをさらに含むことができ、TWTパラメータ過負荷フィールドは、TWTパラメータ過負荷ビット、トリガ指示、トラフィックタイプ、TWTトラフィック指示、TWTウェイク間隔指数、ターゲットウェイク時間、最小TWTウェイク期間、およびTWTウェイク間隔仮数を含む。TWTパラメータ過負荷ビットが「TWTパラメータ過負荷」に設定されるとき、トリガ指示、トラフィックタイプ、TWTトラフィック指示、TWTウェイク間隔指数、ターゲットウェイク時間、最小TWTウェイク期間、およびTWTウェイク間隔仮数が、過負荷ターゲットパラメータ値であり、または、TWTパラメータ過負荷ビットが「TWTパラメータ過負荷」に設定されないとき、これらのパラメータは予備ビットである。
【０１４２】
さらに、任意選択で、ウェイクアップパケットは、最初に確立されたTWTフィールドをキャンセルすることをさらに含むことができる。TWTパラメータ過負荷フィールドの過負荷ビット識別子が「キャンセル」に設定される場合、APとSTAの主トランシーバとの間に最初に確立されたものは無効になり、または、TWTパラメータ過負荷フィールドの過負荷ビット識別子が「キャンセル」に設定されない場合、APとSTAの主トランシーバとの間に最初に確立されたものは保持される。
【０１４３】
最初に確立されたTWTフィールドがキャンセルされる場合、ウェイクアップパケットは、STAの主トランシーバとAPとの間に確立された新しいTWTパラメータを含み、APは、STAの消費電力をさらに低減し、STAのサービス要件を満たし、ネットワーク負荷のバランスをとるために、APとSTAとの間に確立された新しいTWTパラメータを新しいネットワーク状態に基づいて調整する。
【０１４４】
さらに別の任意選択の実施態様では、通信パラメータが、第2のネットワークノードの送信動作モードパラメータを含む場合、第2のネットワークノードの送信動作モードパラメータは、送信可能ストリームの最大量および送信電力情報を含む。
【０１４５】
送信電力情報は、第2のネットワークノードの最大送信電力または第2のネットワークノードの送信電力変動指示情報であり、送信電力変動指示情報は、第2のネットワークノードのデータ伝送中に送信電力変動が許容されるかどうかを示すために使用される。
【０１４６】
特定の実施形態では、STAの主トランシーバのスリープ時間中に、APがSTAの主トランシーバにデータを送信するための、送信可能ストリームの最大量および送信電力情報などの送信動作モードパラメータを変更することができる。送信電力情報は、特定の最大送信電力であってもよく、または送信電力変動ビット指示であってもよい。例えば、送信電力変動ビット指示「1」は、APのデータ伝送中に送信電力変動が許容されることを表し、送信電力変動ビット指示「0」は、APが同じ送信電力でデータを送信することを表す。
【０１４７】
送信電力変動ビット指示は、STAがウェイクアップされた後にSTAの主トランシーバの受信機感度を調整する必要があるかどうかを、ウェイクアップされるSTAに通知するために使用される。送信電力変動ビット指示が、送信電力が変動することを示す場合、ウェイクアップされるSTAは、STAの主トランシーバの受信機感度を調整する必要があり、あるいは、送信電力変動ビット指示が、送信電力が変動しないことを示す場合、ウェイクアップされるSTAは、STAの主トランシーバの受信機感度を調整する必要がない。
【０１４８】
任意選択で、APが、ウェイクアップパケットをスリープ中のSTA（STAのウェイクアップ受信機はオン状態にあり、主トランシーバはスリープ状態にある）に送信するとき、ウェイクアップパケットは、送信可能ストリームの最大量および送信電力情報などを含む送信動作モードフィールドを含む。
【０１４９】
この実施形態では、APは、STAに関連するAPの送信動作モードの変更をウェイクアップされるSTAに通知するためにウェイクアップパケットをSTAに送信し、これにより、STAは、最適な方法で受信を確実に実行するようになり、この結果、消費電力が低減される。もちろん、代替的に、STAは、STAの送信動作モードの変更をウェイクアップされるAPに通知するためにウェイクアップパケットをAP（APのウェイクアップ受信機はオン状態にあり、主トランシーバはスリープ状態にある）に送信することができ、これにより、APは、最適な方法で受信を確実に実行するようになり、この結果、消費電力が低減される。
【０１５０】
本発明のこの実施形態では、第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ターゲットウェイクアップ時間TWT要素の少なくとも1つのパラメータおよび／または第2のネットワークノードの送信動作モードパラメータを含み、第1のネットワークノードは、ターゲットパラメータ値に基づいて第2のネットワークノードと通信する。このようにして、第1のネットワークノードと第2のネットワークノードとの間の更新された通信パラメータを第1のネットワークノードに適時に通知することができることから、第1のネットワークノードが第2のネットワークノードと正常に通信することが保証される。
【０１５１】
第2のネットワークノードが、第2のネットワークノードと第1のネットワークノードの主トランシーバとの間に確立されたTWTパラメータまたは第2のネットワークノードの送信動作モードパラメータを、ウェイクアップパケットを使用して第1のネットワークノードに通知する前述の実施態様は、第2のネットワークノードが、第2のネットワークノードと第1のネットワークノードのウェイクアップ受信機との間に確立されたTWTパラメータまたは第2のネットワークノードの送信動作モードパラメータを、802．11フレーム（802．11パケットとも呼ばれる）を使用して第1のネットワークノードに通知するように直接拡張することができることに留意されたい。さらに、第1のネットワークノードの主トランシーバは、第1のネットワークノードのウェイクアップ受信機が、第1のネットワークノードの主トランシーバのスリープ時間中に第2のネットワークノードのウェイクアップパケットを正しく受信するのを助けるために、第1のネットワークノードのウェイクアップ受信機の最新の動作デューティサイクルパラメータを第2のネットワークノードに通知するために、管理フレームなどの802．11フレームを使用する。
【０１５２】
本願の一実施形態は、データ通信装置をさらに提供する。この装置は、図5の方法で説明したSTAであってもよく、あるいは図5の方法におけるSTAの動作を実施することができる別のデバイスであってもよい。
【０１５３】
図13aおよび図13bはそれぞれ、本発明の一実施形態によるデータ通信装置の概略構成図である。図13aに示すように、データ通信装置は、受信ユニット100および通信ユニット101を含むことができる。
【０１５４】
受信ユニット100は、アクセスポイントAPによって送信されたウェイクアップパケットを受信し、ウェイクアップパケットが、基本サービスセットBSSパラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの重要パラメータが変更されたかどうかを示すために使用される、ように構成される。
【０１５５】
通信ユニット101は、BSSパラメータ指示情報に基づいてAPと通信するように構成される。
【０１５６】
任意選択で、ウェイクアップパケットは、APによってユニキャスト方式でSTAに送信されるか、あるいは
ウェイクアップパケットは、APによってブロードキャスト方式またはマルチキャスト方式でSTAに送信される。
【０１５７】
BSSパラメータ指示情報は、BSSパラメータ変更指示情報を含み、BSSパラメータ変更指示情報は、APによってカウントされた第1の変更カウント値を含み、第1の変更カウント値は、主BSSの重要パラメータの変更回数を表すために使用される。
【０１５８】
通信ユニット101がBSSパラメータ指示情報に基づいてAPと通信することは、特に、
STAによってカウントされた第2の変更カウント値であって、STAの主トランシーバが履歴的な起動状態にあるときの、主BSSの重要パラメータの変更回数を表すために使用される第2の変更カウント値が第1の変更カウント値と同じであるかどうかを検出することと、
第2の変更カウント値が第1の変更カウント値と異なる場合、STAの主トランシーバがスリープ状態にあるときに主BSSの重要パラメータが変更されていることと、
STAの主トランシーバがスリープ状態から起動状態に変更されるときに、主BSSの最新の重要パラメータを取得し、この最新の重要パラメータに基づいてAPと通信することと
を含む。
【０１５９】
BSSパラメータ指示情報は、BSSパラメータ変更指示情報を含み、BSSパラメータ変更指示情報は、変更識別子を含み、変更識別子は、STAがスリープ状態にあるときに主BSSの重要パラメータが変更されたかどうかを示すために使用される。
【０１６０】
通信ユニット101がBSSパラメータ指示情報に基づいてAPと通信することは、特に、
ウェイクアップパケット内の変更識別子の値を読み取ることと、
変更識別子の値が、主BSSの重要パラメータが変更されていることを示すために使用される第1の予め設定された値である場合、主BSSの重要パラメータが変更されていることと、
STAの主トランシーバがスリープ状態から起動状態に変更されるときに、主BSSの最新の重要パラメータを取得し、この最新の重要パラメータに基づいてAPと通信することと
を含む。
【０１６１】
さらに、ウェイクアップパケットで搬送されるBSSパラメータ指示情報は、BSSパラメータ変更指示情報を含み、BSSパラメータ変更指示情報は、STAの主トランシーバが属する主BSSの重要パラメータのうちの、変更された重要パラメータの最新の値を含む。言い換えれば、この最新の値は、STAの主トランシーバがスリープ状態にあるときに主BSSの重要パラメータが変更されていることを示すために使用される。
【０１６２】
具体的には、任意選択で、通信ユニット101が主BSSの最新の重要パラメータを取得することは、特に、
主BSSの最新の重要パラメータを要求するために使用されるプローブ要求フレームをAPに送信することと、
APによって返されるプローブ応答フレームであって、主BSSの最新の重要パラメータを搬送するプローブ応答フレームを受信することと
を含む。
【０１６３】
BSSパラメータ指示情報は、STAの主トランシーバが現在属している主BSSのターゲットパラメータを含み、ターゲットパラメータは、ビーコンフレームパラメータを含む。
【０１６４】
ビーコンフレームパラメータは、次のビーコンフレームの到着時間およびビーコンフレーム間隔のうちの少なくとも一方を含む。
【０１６５】
BSSパラメータ指示情報は、STAの主トランシーバが現在属している主BSSのターゲットパラメータを含み、ターゲットパラメータは、主BSSのチャネルパラメータを含み、そして
【０１６６】
主BSSのチャネルパラメータは、主BSSのチャネル番号、セカンダリチャネルオフセット指示、チャネル帯域幅、チャネル中心周波数、および周波数帯域番号のうちの少なくとも1つを含む。
【０１６７】
BSSパラメータ指示情報は、STAの主トランシーバが現在属している主BSSのターゲットパラメータを含み、ターゲットパラメータは、主BSSの競合チャネルの拡張分散チャネルアクセスEDCAパラメータを含む。
【０１６８】
主BSSのEDCAパラメータは、主BSSの競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む。
【０１６９】
これに対応して、図13bに示すように、この装置は、トランシーバ1001およびプロセッサ1002を含むことができる。プロセッサ1002は、トランシーバ1001を使用してデータ伝送（受信および／または送信を含む）を実行することを含む、この装置の動作を制御するように構成される。さらに、この装置は、メモリ1003をさらに含むことができ、メモリ1003は、読み出し専用メモリおよびランダムアクセスメモリを含むことができ、プロセッサ1002に命令およびデータを提供するように構成される。メモリ1003は、プロセッサ1002に組み込まれてもよく、あるいはプロセッサ1002から独立していてもよい。メモリ1003の一部は、不揮発性ランダムアクセスメモリ（NVRAM）をさらに含むことができる。この装置のコンポーネントは、バスシステムを使用して互いに結合される。データバスに加えて、バスシステム1009は、電力バス、制御バス、および状態信号バスをさらに含む。しかしながら、明確な説明のために、様々なタイプのバスは、図ではバスシステム1009として示されている。
【０１７０】
図5の、本願の実施形態で開示されているプロセスは、プロセッサ1002に適用することができ、またはプロセッサ1002によって実施することができる。実施プロセスでは、この装置によって実施されるプロセスのステップは、プロセッサ1002内のハードウェアの集積論理回路によって、またはソフトウェア形態の命令によって実施することができる。プロセッサ1002は、汎用プロセッサ、デジタル信号プロセッサ、特定用途向け集積回路、フィールドプログラマブルゲートアレイもしくは別のプログラマブル論理デバイス、ディスクリートゲートもしくはトランジスタ論理デバイス、またはディスクリートハードウェアコンポーネントとすることができ、本願の実施形態で開示されている方法、ステップ、および論理ブロック図を実施または実行することができる。汎用プロセッサは、マイクロプロセッサまたは任意の従来のプロセッサなどであってもよい。図5の、本願の実施形態を参照して開示されている方法のステップは、ハードウェアプロセッサによって直接実行されてもよく、またはプロセッサ内のハードウェアとソフトウェアモジュールとの組み合わせを使用して実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ1003に配置され、プロセッサ1002は、メモリ1003内の情報を読み出し、プロセッサ1002のハードウェアと共に、本発明の実施形態で説明されているプロセスのステップを遂行する。
【０１７１】
さらに、この装置がユーザ機器STAである場合、この装置は、キーボードなどの入力デバイス、およびディスプレイの構造などの出力デバイスをさらに含むことができるが、本明細書では詳細は説明しない。
【０１７２】
トランシーバ1001は、アクセスポイントAPによって送信されたウェイクアップパケットを受信し、ウェイクアップパケットが、基本サービスセットBSSパラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの重要パラメータが変更されたかどうかを示すために使用される、ように構成される。
【０１７３】
トランシーバ1001は、BSSパラメータ指示情報に基づいてAPと通信するようにさらに構成される。
【０１７４】
任意選択で、ウェイクアップパケットは、APによってユニキャスト方式でSTAに送信されるか、あるいは
ウェイクアップパケットは、APによってブロードキャスト方式またはマルチキャスト方式でSTAに送信される。
【０１７５】
任意選択で、BSSパラメータ指示情報は、BSSパラメータ変更指示情報を含み、BSSパラメータ変更指示情報は、APによってカウントされた第1の変更カウント値を含み、第1の変更カウント値は、主BSSの重要パラメータの変更回数を表すために使用される。
【０１７６】
プロセッサ1002は、STAによってカウントされた第2の変更カウント値が第1の変更カウント値と同じであるかどうかを検出し、第2の変更カウント値が、STAの主トランシーバが履歴的な起動状態にあるときの、主BSSの重要パラメータの変更回数を表すために使用され、
第2の変更カウント値が第1の変更カウント値と異なる場合、STAの主トランシーバがスリープ状態にあるときに主BSSの重要パラメータは変更されている、ように構成される。
【０１７７】
トランシーバ1001は、STAの主トランシーバがスリープ状態から起動状態に変更されるときに、主BSSの最新の重要パラメータを取得し、この最新の重要パラメータに基づいてAPと通信するようにさらに構成される。
【０１７８】
任意選択で、BSSパラメータ指示情報は、BSSパラメータ変更指示情報を含み、BSSパラメータ変更指示情報は、変更識別子を含み、変更識別子は、STAがスリープ状態にあるときに主BSSの重要パラメータが変更されたかどうかを示すために使用される。
【０１７９】
プロセッサ1002は、ウェイクアップパケット内の変更識別子の値を読み取り、
変更識別子の値が第1の予め設定された値である場合、主BSSの重要パラメータは変更されており、第1の予め設定された値が、主BSSの重要パラメータが変更されていることを示すために使用される、ようにさらに構成される。
【０１８０】
トランシーバ1001は、STAの主トランシーバがスリープ状態から起動状態に変更されるときに、主BSSの最新の重要パラメータを取得し、この最新の重要パラメータに基づいてAPと通信するようにさらに構成される。
【０１８１】
さらに、ウェイクアップパケットで搬送されるBSSパラメータ指示情報は、BSSパラメータ変更指示情報を含み、BSSパラメータ変更指示情報は、STAの主トランシーバが属する主BSSの重要パラメータのうちの、変更された重要パラメータの最新の値を含む。言い換えれば、この最新の値は、STAの主トランシーバがスリープ状態にあるときに主BSSの重要パラメータが変更されていることを示すために使用される。
【０１８２】
さらに、任意選択で、トランシーバ1001は、プローブ要求フレームをAPに送信し、プローブ要求フレームが、主BSSの最新の重要パラメータを要求するために使用される、ようにさらに構成される。
【０１８３】
トランシーバ1001は、APによって返されるプローブ応答フレームを受信し、プローブ応答フレームが、主BSSの最新の重要パラメータを搬送する、ようにさらに構成される。
【０１８４】
任意選択で、BSSパラメータ指示情報は、STAの主トランシーバが現在属している主BSSのターゲットパラメータを含み、ターゲットパラメータは、ビーコンフレームパラメータを含む。
【０１８５】
ビーコンフレームパラメータは、次のビーコンフレームの到着時間およびビーコンフレーム間隔のうちの少なくとも一方を含む。
【０１８６】
任意選択で、BSSパラメータ指示情報は、STAの主トランシーバが現在属している主BSSのターゲットパラメータを含み、ターゲットパラメータは、主BSSのチャネルパラメータを含み、そして
【０１８７】
主BSSのチャネルパラメータは、主BSSのチャネル番号、セカンダリチャネルオフセット指示、チャネル帯域幅、チャネル中心周波数、および周波数帯域番号のうちの少なくとも1つを含む。
【０１８８】
任意選択で、BSSパラメータ指示情報は、STAの主トランシーバが現在属している主BSSのターゲットパラメータを含み、ターゲットパラメータは、主BSSの競合チャネルの拡張分散チャネルアクセスEDCAパラメータを含む。
【０１８９】
主BSSのEDCAパラメータは、主BSSの競合チャネルのサービス品質QoS情報、アクセス・カテゴリ・ベスト・エフォート・トラフィックAC＿BEパラメータ、アクセス・カテゴリ・バックグラウンド・トラフィックAC＿BKパラメータ、アクセス・カテゴリ・ビデオ・トラフィックAC＿VIパラメータ、およびアクセス・カテゴリ・音声・トラフィックAC＿VOパラメータのうちの少なくとも1つを含む。
【０１９０】
本発明のこの実施形態では、STAは、APによって送信されるウェイクアップパケットを受信し、このウェイクアップパケットは、BSSパラメータ指示情報を含み、このパラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。このようにして、BSSパラメータ指示情報が、ウェイクアップパケットを使用してSTAに送信されるため、STAは、主BSSの現在の重要パラメータを正確に知ることができ、その結果、STAの主トランシーバが、ウェイクアップ後にAPと正常に通信することが有効に保証される。
【０１９１】
前述のデータ通信装置のコンポーネントの特定の実施態様については、図5の方法の実施形態に関する関連する説明を参照することができ、本明細書では詳細は再度説明していないことを理解することができる。
【０１９２】
本願の一実施形態は、データ通信装置をさらに提供する。この装置は、図11の前述の方法で説明された第1のネットワークノードとすることができ、第1のネットワークノードは、STAまたはAPとすることができる。第1のネットワークノードがSTAである場合、本発明のこの実施形態における第2のネットワークノードはAPであり、あるいは、第1のネットワークノードがAPである場合、本発明のこの実施形態における第2のネットワークノードはSTAである。もちろん、本発明のこの実施形態におけるデータ通信装置は、代替的に、前述の図11の方法における第1のネットワークノードの動作を実施することができる別のデバイスであってもよい。
【０１９３】
図14aおよび図14bはそれぞれ、本発明の一実施形態によるデータ通信装置の概略構成図である。図14aに示すように、データ通信装置は、受信ユニット200および通信ユニット201を含むことができる。
【０１９４】
受信ユニット200は、第2のネットワークノードによって送信されたウェイクアップパケットを受信し、ウェイクアップパケットが、ターゲットパラメータ値を含み、ターゲットパラメータ値が、第1のネットワークノードと第2のネットワークノードとの間の通信パラメータの更新値であり、通信パラメータが、ターゲットウェイクアップ時間TWT要素の少なくとも1つのパラメータおよび／または第2のネットワークノードの送信動作モードパラメータを含む、ように構成される。
【０１９５】
通信ユニット201は、ターゲットパラメータ値に基づいて第2のネットワークノードと通信するように構成される。
【０１９６】
任意選択で、通信パラメータが、TWTのターゲットウェイクアップ時間を含む場合、
通信ユニット201がターゲットパラメータ値に基づいて第2のネットワークノードと通信することは、特に、
ターゲットパラメータ値に基づいて、第1のネットワークノードの主トランシーバが第2のネットワークノードとのTWT通信を実行するターゲット起動時点を調整し、第2のネットワークノードと通信すること
を含む。
【０１９７】
任意選択で、通信パラメータが、TWTの最小TWTウェイク期間を含む場合、
通信ユニット201がターゲットパラメータ値に基づいて第2のネットワークノードと通信することは、特に、
ターゲットパラメータ値に基づいて、第1のネットワークノードの主トランシーバが第2のネットワークノードとのTWT通信を実行する最小起動期間を調整し、第2のネットワークノードと通信すること
を含む。
【０１９８】
任意選択で、通信パラメータが、TWTのTWTウェイク間隔仮数およびTWTウェイク間隔指数を含む場合、
通信ユニット201がターゲットパラメータ値に基づいて第2のネットワークノードと通信することは、特に、
ターゲットパラメータ値に基づいて、第1のネットワークノードの主トランシーバが第2のネットワークノードとのTWT通信を実行する起動期間間隔を調整し、第2のネットワークノードと通信すること
を含む。
【０１９９】
任意選択で、ウェイクアップパケットは、TWTパラメータ過負荷フィールドを含み、TWTパラメータ過負荷フィールドは、パラメータ過負荷ビットを含む。
【０２００】
パラメータ過負荷ビットがTWTパラメータ過負荷を示すとき、TWTパラメータ過負荷フィールドは、TWT要素の少なくとも1つの更新パラメータであるターゲットパラメータ値を含む。
【０２０１】
通信ユニット201がターゲットパラメータ値に基づいて第2のネットワークノードと通信することは、特に、
ターゲットパラメータ値に基づいて、第1のネットワークノードの主トランシーバが第2のネットワークノードとのTWT通信を実行するためのパラメータを調整し、第2のネットワークノードと通信すること
を含む。
【０２０２】
さらに、任意選択で、第2のネットワークノードの送信動作モードパラメータは、送信可能ストリームの最大量および送信電力情報を含む。
【０２０３】
送信電力情報は、第2のネットワークノードの最大送信電力または第2のネットワークノードの送信電力変動指示情報であり、送信電力変動指示情報は、第2のネットワークノードのデータ伝送中に送信電力変動が許容されるかどうかを示すために使用される。
【０２０４】
これに対応して、図14bに示すように、この装置は、トランシーバ2001およびプロセッサ2002を含むことができる。プロセッサ2002は、トランシーバ2001を使用してデータ伝送（受信および／または送信を含む）を実行することを含む、この装置の動作を制御するように構成される。さらに、この装置は、メモリ2003をさらに含むことができ、メモリ2003は、読み出し専用メモリおよびランダムアクセスメモリを含むことができ、プロセッサ2002に命令およびデータを提供するように構成される。メモリ2003は、プロセッサ2002に組み込まれてもよく、あるいはプロセッサ2002から独立していてもよい。メモリ2003の一部は、不揮発性ランダムアクセスメモリ（NVRAM）をさらに含むことができる。この装置のコンポーネントは、バスシステムを使用して互いに結合される。データバスに加えて、バスシステム2009は、電力バス、制御バス、および状態信号バスをさらに含む。しかしながら、明確な説明のために、様々なタイプのバスは、図ではバスシステム2009として示されている。
【０２０５】
図10の、本願の実施形態で開示されているプロセスは、プロセッサ2002に適用することができ、またはプロセッサ2002によって実施することができる。実施プロセスでは、この装置によって実施されるプロセスのステップは、プロセッサ2002内のハードウェアの集積論理回路によって、またはソフトウェア形態の命令によって実施することができる。プロセッサ2002は、汎用プロセッサ、デジタル信号プロセッサ、特定用途向け集積回路、フィールドプログラマブルゲートアレイもしくは別のプログラマブル論理デバイス、ディスクリートゲートもしくはトランジスタ論理デバイス、またはディスクリートハードウェアコンポーネントとすることができ、本願の実施形態で開示されている方法、ステップ、および論理ブロック図を実施または実行することができる。汎用プロセッサは、マイクロプロセッサまたは任意の従来のプロセッサなどであってもよい。図11の、本願の実施形態を参照して開示されている方法のステップは、ハードウェアプロセッサによって直接実行されてもよく、またはプロセッサ内のハードウェアとソフトウェアモジュールとの組み合わせを使用して実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ2003に配置され、プロセッサ2002は、メモリ2003内の情報を読み出し、プロセッサ2002のハードウェアと共に、本発明の実施形態で説明されているプロセスのステップを遂行する。
【０２０６】
さらに、この装置がユーザ機器STAである場合、この装置は、キーボードなどの入力デバイス、およびディスプレイの構造などの出力デバイスをさらに含むことができるが、本明細書では詳細は説明しない。
【０２０７】
トランシーバ2001は、第2のネットワークノードによって送信されたウェイクアップパケットを受信し、ウェイクアップパケットが、ターゲットパラメータ値を含み、ターゲットパラメータ値が、第1のネットワークノードと第2のネットワークノードとの間の通信パラメータの更新値であり、通信パラメータが、ターゲットウェイクアップ時間TWT要素の少なくとも1つのパラメータおよび／または第2のネットワークノードの送信動作モードパラメータを含む、ように構成される。
【０２０８】
トランシーバ2001は、ターゲットパラメータ値に基づいて第2のネットワークノードと通信するようにさらに構成される。
【０２０９】
任意選択で、通信パラメータが、TWTのターゲットウェイクアップ時間を含む場合、
プロセッサ2002は、ターゲットパラメータ値に基づいて、第1のネットワークノードの主トランシーバが第2のネットワークノードとのTWT通信を実行するターゲット起動時点を調整し、第2のネットワークノードと通信するように構成される。
【０２１０】
任意選択で、通信パラメータが、TWTの最小TWTウェイク期間を含む場合、
プロセッサ2002は、ターゲットパラメータ値に基づいて、第1のネットワークノードの主トランシーバが第2のネットワークノードとのTWT通信を実行する最小起動期間を調整し、第2のネットワークノードと通信するようにさらに構成される。
【０２１１】
任意選択で、通信パラメータが、TWTのTWTウェイク間隔仮数およびTWTウェイク間隔指数を含む場合、
プロセッサ2002は、ターゲットパラメータ値に基づいて、第1のネットワークノードの主トランシーバが第2のネットワークノードとのTWT通信を実行する起動期間間隔を調整し、第2のネットワークノードと通信するようにさらに構成される。
【０２１２】
任意選択で、ウェイクアップパケットは、TWTパラメータ過負荷フィールドを含み、TWTパラメータ過負荷フィールドは、パラメータ過負荷ビットを含み、パラメータ過負荷ビットがTWTパラメータ過負荷を示すとき、TWTパラメータ過負荷フィールドは、TWT要素の少なくとも1つの更新パラメータであるターゲットパラメータ値を含む。
【０２１３】
プロセッサ2002は、ターゲットパラメータ値に基づいて、第1のネットワークノードの主トランシーバが第2のネットワークノードとのTWT通信を実行するためのパラメータを調整し、第2のネットワークノードと通信するようにさらに構成される。
【０２１４】
さらに、任意選択で、第2のネットワークノードの送信動作モードパラメータは、送信可能ストリームの最大量および送信電力情報を含む。
【０２１５】
送信電力情報は、第2のネットワークノードの最大送信電力または第2のネットワークノードの送信電力変動指示情報であり、送信電力変動指示情報は、第2のネットワークノードのデータ伝送中に送信電力変動が許容されるかどうかを示すために使用される。
【０２１６】
本発明のこの実施形態では、第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ターゲットウェイクアップ時間TWT要素の少なくとも1つのパラメータおよび／または第2のネットワークノードの送信動作モードパラメータを含み、第1のネットワークノードは、ターゲットパラメータ値に基づいて第2のネットワークノードと通信する。このようにして、第1のネットワークノードと第2のネットワークノードとの間の更新された通信パラメータを第1のネットワークノードに適時に通知することができることから、第1のネットワークノードが第2のネットワークノードと正常に通信することが保証される。
【０２１７】
前述のデータ通信装置のコンポーネントの特定の実施態様については、図11の方法の実施形態に関する関連する説明を参照することができ、本明細書では詳細は再度説明していないことを理解することができる。
【０２１８】
本発明の一実施形態は、データ通信方法をさらに提供する。データ通信方法は、以下のステップを含む。
【０２１９】
ステップ1：第1のネットワークノードは、第2のネットワークノードによって送信されたウェイクアップパケットを受信し、このウェイクアップパケットは、キャンセル命令情報を含み、このキャンセル命令情報は、第1のネットワークノードと第2のネットワークノードとの間に予め確立されたターゲットウェイクアップ時間TWTをキャンセルするように命令するために使用される。
【０２２０】
ステップ2：第1のネットワークノードの主トランシーバは、キャンセル命令情報に基づいて第2のネットワークノードと通信する。
【０２２１】
例えば、新しいTWTを確立する必要があることを検出すると、第1のネットワークノードは、第2のネットワークノードとの間に新しいTWTを確立し、新しいTWTに基づいて第2のネットワークノードと通信する。
【０２２２】
一実施形態では、キャンセル命令情報は、1つ以上ビットであり得る。例えば、ウェイクアップパケットは、TWTパラメータキャンセルフィールドを含み、TWTパラメータキャンセルフィールドは、キャンセル命令情報を含むことができ、キャンセル命令情報は、APとSTAの主トランシーバとの間に予め確立されたTWTをキャンセルするために使用される。このとき、要求がある場合、例えば、新しいデューティサイクルサービスまたは省エネルギー要求がある場合、APは、新しいTWTを確立するためにSTAの主トランシーバと再びネゴシエートし、新しいTWTに基づいて通信を実行する。
【０２２３】
本発明のこの実施形態におけるデータ通信方法に基づいて、本発明の一実施形態は、データ通信装置をさらに提供する。データ通信装置は、受信ユニットおよび通信ユニットを含む。
【０２２４】
受信ユニットは、第2のネットワークノードによって送信されるウェイクアップパケットを受信し、このウェイクアップパケットが、キャンセル命令情報を含み、このキャンセル命令情報が、第1のネットワークノードと第2のネットワークノードとの間に予め確立されたターゲットウェイクアップ時間TWTをキャンセルするように命令するために使用される、ように構成される。
【０２２５】
通信ユニットは、キャンセル命令情報に基づいて第2のネットワークノードと通信するように構成される。
【０２２６】
例えば、新しいTWTを確立する必要があることを検出すると、第1のネットワークノードは、第2のネットワークノードとの間に新しいTWTを確立し、新しいTWTに基づいて第2のネットワークノードと通信する。
【０２２７】
当業者は、関連するハードウェアに命令するコンピュータプログラムによって実施形態における方法のプロセスの全部または一部を実施することができることを理解することができる。プログラムは、コンピュータ可読記憶媒体に記憶することができる。プログラムが実行されると、実施形態における方法のプロセスが実行される。記憶媒体は、ROM、ランダムアクセスメモリRAM、磁気ディスク、または光ディスクなどの、プログラムコードを記憶することができる様々な媒体を含む。
【符号の説明】
【０２２８】
100  受信ユニット
101  通信ユニット
200  受信ユニット
201  通信ユニット
1001  トランシーバ
1002  プロセッサ
1003  メモリ
1009  バスシステム
2001  トランシーバ
2002  プロセッサ
2003  メモリ
2009  バスシステム
【図１】
2019537360.tif 000006
【図２】
2019537360.tif 000007
【図３】
2019537360.tif 000008
【図４ａ】
2019537360.tif 000009
【図４ｂ】
2019537360.tif 000010
【図５】
2019537360.tif 000011
【図６】
2019537360.tif 000012
【図７】
2019537360.tif 000013
【図８】
2019537360.tif 000014
【図９】
2019537360.tif 000015
【図１０】
2019537360.tif 000016
【図１１】
2019537360.tif 000017
【図１２】
2019537360.tif 000018
【図１３ａ】
2019537360.tif 000019
【図１３ｂ】
2019537360.tif 000020
【図１４ａ】
2019537360.tif 000021
【図１４ｂ】
2019537360.tif 000022
【手続補正書】
【提出日】令和1年6月18日(2019.6.18)
【手続補正１】
【補正対象書類名】特許請求の範囲
【補正対象項目名】全文
【補正方法】変更
【補正の内容】
【特許請求の範囲】
【請求項１】
データ通信方法であって、前記方法がステーション（STA）に適用されるもので、前記STAが主トランシーバとウェイクアップ受信機とを備え、前記方法が、
アクセスポイント（AP）によって送信されたウェイクアップパケットを、前記STAの前記主トランシーバがスリープ状態のときに前記ウェイクアップ受信機によって、受信するステップであって、前記ウェイクアップパケットが、基本サービスセット（BSS）パラメータ指示情報を含み、前記BSSパラメータ指示情報が、前記主BSSの少なくとも１つの重要パラメータが変更されたかどうかを示すBSSパラメータ変更指示情報を含む、ステップと、
前記STAの前記ウェイクアップ受信機によって、前記主トランシーバをウェイクアップするステップと、
前記STAの前記主トランシーバによって、前記BSSパラメータ指示情報に基づいて前記APと通信するステップと
を含むデータ通信方法。
【請求項２】
前記BSSパラメータ変更指示情報が、第1の変更カウント値を含み、前記第1の変更カウント値が、前記主BSSの前記少なくとも１つの重要パラメータの変更回数を表すために使用される、請求項1に記載の方法。
【請求項３】
前記STAの前記主トランシーバによって、前記BSSパラメータ指示情報に基づいて前記APと通信する前記ステップが、
第2の変更カウント値が前記第1の変更カウント値と異なる場合、前記STAの前記主トランシーバによって、前記主BSSの少なくとも１つの最新の重要パラメータを取得するステップ、および前記少なくとも１つの最新の重要パラメータに基づいて前記APと通信するステップと
を含み、
前記第2の変更カウント値が、前記STAの前記主トランシーバが履歴的な起動状態にあるときの、前記主BSSの少なくとも１つの重要パラメータの変更回数を表すために使用される、
請求項2に記載の方法。
【請求項４】
前記APと通信する前に、前記方法が更に、
前記STAによって、前記第2の変更カウント値が前記第1の変更カウント値と同じであるか否かを判断するステップと、
前記第2の変更カウント値が前記第1の変更カウント値と同じであるときに、前記主BSSの前記少なくとも１つの重要パラメータが変更されていないと判断するステップと、
前記第2の変更カウント値が前記第1の変更カウント値と異なるときに、前記主トランシーバが属する前記主BSSの前記少なくとも１つの重要パラメータが変更されていると判断するステップと、
を含む、請求項3に記載の方法。
【請求項５】
前記方法が更に、
起動状態の前記STAの前記主受信機によって、前記APによって送信されたフレームを受信するステップであって、変更カウント値を含む前記フレームが前記主BSSの少なくとも１つの重要パラメータの変更回数を表す、ステップと、
前記STAによって、前記STAの第2の変更カウント値を前記変更カウント値で置き換えるステップであって、前記第2の変更カウント値が、前記STAの前記主トランシーバが履歴的な起動状態にあるときの、前記主BSSの少なくとも１つの重要パラメータの変更回数を表すために使用される、ステップと、
を含む、請求項1または2に記載の方法。
【請求項６】
前記主BSSの前記少なくとも１つの重要パラメータが、前記主BSSのチャネルパラメータもしくは前記主BSSの競合チャネルの拡張分散チャネルアクセス（EDCA）パラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含み、
前記主BSSの前記EDCAパラメータが、前記主BSSの前記競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つを含む、
請求項1または2に記載の方法。
【請求項７】
データ通信方法であって、
アクセスポイント（AP）によってウェイクアップパケットを生成するステップと、
前記APによって前記ウェイクアップパケットを送信するステップであって、前記ウェイクアップパケットが、基本サービスセットBSSパラメータ指示情報を含み、前記BSSパラメータ指示情報が、BSSパラメータ変更指示情報を含み、前記BSSパラメータ変更指示情報が、前記主BSSの少なくとも1つの重要パラメータが変更されたかどうかを示すために使用される、ステップと
を含むデータ通信方法。
【請求項８】
前記BSSパラメータ変更指示情報が、前記APによってカウントされた第1の変更カウント値を含み、前記第1の変更カウント値が、前記主BSSの前記少なくとも1つの重要パラメータの変更回数を表すために使用される、請求項7に記載の方法。
【請求項９】
前記方法が、前記主BSSの重要パラメータの変更が起こった場合に、前記APによって、前記第1の変更カウント値を予め設定された固定値だけインクリメントするステップを更に含む、請求項8に記載の方法。
【請求項１０】
前記予め設定された固定値が1、2、または3である、請求項9に記載の方法。
【請求項１１】
前記方法が、前記APによって、フレームを送信するステップであって、変更カウント値を含む前記フレームが前記主BSSの少なくとも１つの重要パラメータの変更回数を表し、ステーション（STA）の第2の変更カウント値を前記変更カウント値で置き換えるために前記変更カウント値が前記STAを表すのに用いられ、前記第2の変更カウント値が、前記STAの前記主トランシーバが履歴的な起動状態にあるときの、前記主BSSの前記少なくとも１つの重要パラメータの変更回数を表す、ステップを更に含む、請求項7または8に記載の方法。
【請求項１２】
前記主BSSの前記少なくとも１つの重要パラメータが、前記主BSSのチャネルパラメータもしくは前記主BSSの競合チャネルの拡張分散チャネルアクセス（EDCA）パラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含み、
前記主BSSの前記EDCAパラメータが、前記主BSSの前記競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つを含む、
請求項7または8に記載の方法。
【請求項１３】
ステーション（STA）に適用されるデータ通信装置であって、前記STAが主トランシーバとウェイクアップ受信機とを備え、前記データ通信装置が、プロセッサとメモリを備え、前記メモリが実行可能なプログラムコードを格納するよう構成され、前記プロセッサが前記メモリに格納された前記実行可能なプログラムコードを起動して、
前記STAの主トランシーバがスリープ状態のときにアクセスポイント（AP）によって送信されるウェイクアップパケットを受信することであって、前記ウェイクアップパケットが、基本サービスセット（BSS）パラメータ指示情報を含み、前記BSSパラメータ指示情報が、BSSパラメータ変更指示情報を含み、前記BSSパラメータ変更指示情報が、前記主BSSの少なくとも1つの重要パラメータが変更されたかどうかを示すために使用される、ことと、
前記STAの前記ウェイクアップ受信機によって、前記STAの前記主トランシーバをウェイクアップすることと、
前記BSSパラメータ指示情報に基づいて前記APと通信することと、
を行う、データ通信装置。
【請求項１４】
前記BSSパラメータ変更指示情報が、第1の変更カウント値を含み、前記第1の変更カウント値が、前記主BSSの前記少なくとも1つの重要パラメータの変更回数を表すために使用される、請求項13に記載の装置。
【請求項１５】
前記主BSSの少なくとも1つの最新の重要パラメータを取得し、第2の変更カウント値が前記第1の変更カウント値と異なるときに、前記少なくとも1つの最新の重要パラメータに基づいて前記APと通信するように、前記プロセッサがさらに構成され、
前記第2の変更カウント値が、前記STAの前記主トランシーバが履歴的な起動状態にあるときの、前記主BSSの少なくとも１つの重要パラメータの変更回数を表すために使用される、
請求項14に記載の装置。
【請求項１６】
前記第2の変更カウント値が前記第1の変更カウント値と同じであるか否かを判断することと、
前記第2の変更カウント値が前記第1の変更カウント値と同じであるときに、前記主BSSの前記少なくとも１つの重要パラメータが変更されていないと判断することと、
前記第2の変更カウント値が前記第1の変更カウント値と異なるときに、前記主トランシーバが属する前記主BSSの前記少なくとも１つの重要パラメータが変更されていると判断することと、
を行うように、前記プロセッサがさらに構成された、請求項15に記載の装置。
【請求項１７】
起動状態の前記STAの前記主受信機によって、前記APによって送信されたフレームを受信することであって、変更カウント値を含む前記フレームが前記主BSSの少なくとも１つの重要パラメータの変更回数を表す、ことと、
前記STAの第2の変更カウント値を前記変更カウント値で置き換えることであって、前記第2の変更カウント値が、前記STAの前記主トランシーバが履歴的な起動状態にあるときの、前記主BSSの少なくとも１つの重要パラメータの変更回数を表すために使用される、ことと、
を行うように、前記プロセッサがさらに構成された、請求項13または14に記載の装置。
【請求項１８】
前記主BSSの前記少なくとも１つの重要パラメータが、前記主BSSのチャネルパラメータまたは前記主BSSの競合チャネルの拡張分散チャネルアクセス（EDCA）パラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含み、
前記主BSSの前記EDCAパラメータが、前記主BSSの前記競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つを含む、
請求項13または14に記載の装置。
【請求項１９】
アクセスポイント（AP）に適用されるデータ通信装置であって、前記データ通信装置がメモリとプロセッサを備え、前記メモリが実行可能なプログラムコードを格納するように構成され、前記プロセッサが前記メモリに格納された前記プログラムコードを起動して、
ウェイクアップパケットを生成することと、
前記ウェイクアップパケットを送信することであって、前記ウェイクアップパケットが、基本サービスセット（BSS）パラメータ指示情報を含み、前記BSSパラメータ指示情報が、BSSパラメータ変更指示情報を含み、前記BSSパラメータ変更指示情報が、前記主BSSの少なくとも1つの重要パラメータが変更されたかどうかを示すために使用される、ことと、
を行う、データ通信装置。
【請求項２０】
前記BSSパラメータ変更指示情報が、前記装置によってカウントされた第1の変更カウント値を含み、前記第1の変更カウント値が、前記主BSSの前記少なくとも1つの重要パラメータの変更回数を表すために使用される、請求項19に記載の装置。
【請求項２１】
前記主BSSの重要パラメータの変更が起こった場合に、前記第1の変更カウント値を予め設定された固定値だけインクリメントするよう、前記プロセッサがさらに構成された、請求項19に記載の装置。
【請求項２２】
前記予め設定された固定値が1、2、または3である、請求項21に記載の装置。
【請求項２３】
フレームを送信することであって、前記フレームが前記主BSSの少なくとも１つの重要パラメータの変更回数を表す変更カウント値を含み、ステーション（STA）の第2の変更カウント値を前記変更カウント値で置き換えるために前記変更カウント値が前記STAを表すのに用いられ、前記第2の変更カウント値が、前記STAの前記主トランシーバが履歴的な起動状態にあるときの、前記主BSSの前記少なくとも１つの重要パラメータの変更回数を表す、ことを行うよう、前記プロセッサがさらに構成された、請求項22に記載の装置。
【請求項２４】
前記主BSSの前記少なくとも１つの重要パラメータが、前記主BSSのチャネルパラメータもしくは前記主BSSの競合チャネルの拡張分散チャネルアクセス（EDCA）パラメータを含み、
前記主BSSの前記チャネルパラメータが、前記主BSSのチャネル番号、セカンダリチャネルオフセット指示、チャネル帯域幅、チャネル中心周波数、および周波数帯域番号のうちの少なくとも1つを含み、
前記主BSSの前記EDCAパラメータが、前記主BSSの前記競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つを含む、
請求項19または20に記載の装置。
【手続補正２】
【補正対象書類名】明細書
【補正対象項目名】０００２
【補正方法】変更
【補正の内容】
【０００２】
ワイヤレスフィデリティ（Wireless Fidelity、Wi−Fi）ネットワークでは、デバイスのエネルギーのかなりの部分が、アイドルリスニング（idle listening）に浪費されている。現在のレガシーの802．11プロトコル（802．11b、802．11a、802．11g、802．11n、および802．11acなど）における関連する解決策は、デバイスのスリープポリシーを最適化することに焦点を合わせている。スリープポリシーを最適化することに加えて、デバイスのidle listeningにおけるエネルギーの浪費を低減するための別の技術的アプローチであって、低電力ウェイクアップ受信機（Low Power Wake Up Receiver、LP−WUR）（本明細書では略してWUR）を使用する技術的アプローチがある。この技術的アプローチの中心概念は、受信端デバイス（例えば、STA）が、レガシーの802．11トランシーバ端（あるいは、802．11 main radio、802．11主トランシーバモジュール、またはWi−Fi主トランシーバモジュールと呼ばれる）に加えて低電力ウェイクアップ受信機（WUR）部をさらに含むことである。図3に示すように、802．11主トランシーバモジュールがディープスリープに移行した後に、低電力WURはウェイクアップされ、動作し始める。別のデバイス（例えば、図3の左側にあるAP）が、WURおよび802．11主トランシーバモジュールを有するデバイス（例えば、図3の右側にあるSTA）と通信する必要がある場合、APは最初に、WURウェイクアップパケット（Wake-Up Packet、WUP）をWURに送信する。WURに送信されたWUPを正しく受信した後、WURは、STAの802．11主トランシーバモジュールをウェイクアップし、次にWUR自体はスリープに移行する。この場合、APは、起動している802．11主トランシーバモジュールと通信する。APとの通信を終了した後、802．11主トランシーバモジュールは、スリープに移行する。同時に、WURが、ウェイクアップされ、802．11主トランシーバモジュールをウェイクアップするために、WURに送信されたWUPがあるかどうかを検出する目的で再度リスニングを開始する。
【手続補正３】
【補正対象書類名】明細書
【補正対象項目名】０００３
【補正方法】変更
【補正の内容】
【０００３】
この技術では、低電力WURは、媒体がアイドルであるときにチャネルをリッスンするために802．11主トランシーバモジュールに取って代わるように使用され（リスニング状態または受信状態のWURのエネルギー消費は802．11主トランシーバモジュールの約0．1％〜1％、すなわち100uW未満であると予測される）、これにより、デバイスのidle listening中のエネルギーの浪費を効果的に低減することができる。
【手続補正４】
【補正対象書類名】明細書
【補正対象項目名】０００５
【補正方法】変更
【補正の内容】
【０００５】
本願の実施形態は、APがウェイクアップパケットを使用してBSSパラメータ指示情報をSTAに送信することができることにより、STAの主トランシーバがAPと正常に通信することが有効に保証されるデータ通信方法および装置を提供する。
【手続補正５】
【補正対象書類名】明細書
【補正対象項目名】０００６
【補正方法】変更
【補正の内容】
【０００６】
第1の態様によれば、本願の一実施形態は、データ通信方法を提供し、本方法は、ステーション（STA）によって実行され、STAは、STAに関連するAPとやりとりする。APは、ウェイクアップ後にSTAの主トランシーバが確実にAPと正常に通信できようにするためにBSSパラメータ指示情報をSTAに送信する。任意選択で、ステーションSTAは、アクセスポイントAPによって送信されたウェイクアップパケットを受信し、ウェイクアップパケットは、基本サービスセット（BSS）パラメータ指示情報を含み、BSSパラメータ指示情報は、BSSパラメータ変更指示情報、またはSTAの主トランシーバが現在属している主BSSのターゲットパラメータを含み、BSSパラメータ変更指示情報は、STAの主トランシーバがスリープ状態にあるときに主BSSの少なくとも１つの重要パラメータが変更されたかどうかを示すために使用され、STAの主トランシーバは、BSSパラメータ指示情報に基づいてAPと通信する。
【手続補正６】
【補正対象書類名】明細書
【補正対象項目名】０００８
【補正方法】変更
【補正の内容】
【０００８】
別の可能な設計では、BSSパラメータ変更指示情報は、APによってカウントされた第1の変更カウント値を含み、第1の変更カウント値は、主BSSの少なくとも１つの重要パラメータの変更回数を表すために使用され、STAは、STAによって保持された第2の変更カウント値が第1の変更カウント値と同じであるかどうかを検出し、第2の変更カウント値は、STAの主トランシーバが履歴的な起動状態にあるときの、主BSSの少なくとも１つの重要パラメータの変更回数を表すために使用され、第2の変更カウント値が第1の変更カウント値と異なる場合、STAの主トランシーバがスリープ状態にあるときに主BSSの少なくとも１つの重要パラメータは変更され、STAの主トランシーバがスリープ状態から起動状態に変更されるとき、STAの主トランシーバは、主BSSの少なくとも１つの最新の重要パラメータを取得し、少なくとも１つの最新の重要パラメータに基づいてAPと通信する。
【手続補正７】
【補正対象書類名】明細書
【補正対象項目名】０００９
【補正方法】変更
【補正の内容】
【０００９】
別の可能な設計では、BSSパラメータ変更指示情報は、変更識別子を含み、変更識別子は、STAがスリープ状態にあるときに主BSSの少なくとも１つの重要パラメータが変更されたかどうかを示すために使用され、STAは、ウェイクアップパケット内の変更識別子の値を読み取り、変更識別子の値が第1の予め設定された値である場合、主BSSの少なくとも１つの重要パラメータが変更され、第1の予め設定された値は、主BSSの少なくとも１つの重要パラメータが変更されていることを示すために使用され、STAの主トランシーバがスリープ状態から起動状態に変更されるとき、STAの主トランシーバは、主BSSの少なくとも１つの最新の重要パラメータを取得し、この少なくとも１つの最新の重要パラメータに基づいてAPと通信する。
【手続補正８】
【補正対象書類名】明細書
【補正対象項目名】００１０
【補正方法】変更
【補正の内容】
【００１０】
さらに、ウェイクアップパケットで搬送されるBSSパラメータ指示情報は、BSSパラメータ変更指示情報を含み、BSSパラメータ変更指示情報は、STAの主トランシーバが属する主BSSの少なくとも１つの重要パラメータのうちの、変更された重要パラメータの少なくとも１つの最新の値を含む。言い換えれば、この少なくとも１つの最新の値は、STAの主トランシーバがスリープ状態にあるときに主BSSの少なくとも１つの重要パラメータが変更されていることを示すために使用される。
【手続補正９】
【補正対象書類名】明細書
【補正対象項目名】００１１
【補正方法】変更
【補正の内容】
【００１１】
別の可能な設計では、STAは、プローブ要求フレームをAPに送信し、プローブ要求フレームは主BSSの少なくとも１つの最新の重要パラメータを要求するために使用され、STAは、APによって返されるプローブ応答フレームを受信し、プローブ応答フレームは主BSSの少なくとも１つの最新の重要パラメータを搬送する。
【手続補正１０】
【補正対象書類名】明細書
【補正対象項目名】００１４
【補正方法】変更
【補正の内容】
【００１４】
別の可能な設計では、BSSパラメータ指示情報は、STAの主トランシーバが現在属している主BSSのターゲットパラメータを含み、ターゲットパラメータは、主BSSの競合チャネルの拡張分散チャネルアクセス（EDCA）パラメータを含み、主BSSのEDCAパラメータは、主BSSの競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つを含む。
【手続補正１１】
【補正対象書類名】明細書
【補正対象項目名】００１５
【補正方法】変更
【補正の内容】
【００１５】
第2の態様によれば、本願の一実施形態は、データ通信方法を提供する。本方法は、第1のネットワークノードによって実行され、第1のネットワークノードは、第2のネットワークノードとやりとりする。したがって、第2のネットワークノードは、通信パラメータが更新された後に取得されるターゲットパラメータ値を第1のネットワークノードに通知する。任意選択で、第1のネットワークノードは、APまたはSTAであり得る。第1のネットワークノードがAPである場合、第2のネットワークノードはSTAであり、あるいは、第1のネットワークノードがSTAである場合、第2のネットワークノードはAPである。例えば、第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ターゲットウェイクアップ時間TWT要素の少なくとも1つのパラメータおよび／または第2のネットワークノードの送信動作モードパラメータを含み、第1のネットワークノードは、ターゲットパラメータ値に基づいて第2のネットワークノードと通信する。
【手続補正１２】
【補正対象書類名】明細書
【補正対象項目名】００１６
【補正方法】変更
【補正の内容】
【００１６】
可能な設計では、通信パラメータが、TWT要素のターゲットウェイクアップ時間を含む場合、第1のネットワークノードは、ターゲットパラメータ値に基づいて、第1のネットワークノードの主トランシーバが第2のネットワークノードとの通信を実行するターゲット起動時点を調整し、第2のネットワークノードと通信する。
【手続補正１３】
【補正対象書類名】明細書
【補正対象項目名】００１７
【補正方法】変更
【補正の内容】
【００１７】
別の可能な設計では、通信パラメータが、TWT要素の最小TWTウェイク期間を含む場合、第1のネットワークノードは、ターゲットパラメータ値に基づいて、第1のネットワークノードの主トランシーバが第2のネットワークノードとの通信を実行する最小起動期間を調整し、第2のネットワークノードと通信する。
【手続補正１４】
【補正対象書類名】明細書
【補正対象項目名】００１８
【補正方法】変更
【補正の内容】
【００１８】
別の可能な設計では、通信パラメータが、TWT要素のTWTウェイク間隔仮数（TWT Wake Interval Mantissa）およびTWTウェイク間隔指数（TWT Wake Interval Exponent）を含む場合、第1のネットワークノードは、ターゲットパラメータ値に基づいて、第1のネットワークノードの主トランシーバが第2のネットワークノードとの通信を実行する起動期間間隔を調整し、第2のネットワークノードと通信する。
【手続補正１５】
【補正対象書類名】明細書
【補正対象項目名】００１９
【補正方法】変更
【補正の内容】
【００１９】
別の可能な設計では、ウェイクアップパケットは、TWTパラメータ過負荷フィールドを含み、TWTパラメータ過負荷フィールドは、パラメータ過負荷ビットを含み、パラメータ過負荷ビットがTWTパラメータ過負荷を示すとき、TWTパラメータ過負荷フィールドは、TWT要素の少なくとも1つの更新パラメータであるターゲットパラメータ値を含む。第1のネットワークノードは、ターゲットパラメータ値に基づいて、第1のネットワークノードの主トランシーバが第2のネットワークノードとの通信を実行するためのパラメータを調整し、第2のネットワークノードと通信する。
【手続補正１６】
【補正対象書類名】明細書
【補正対象項目名】００２１
【補正方法】変更
【補正の内容】
【００２１】
第3の態様によれば、本願の一実施形態は、STAに適用されるデータ通信装置を提供する。データ通信装置は、受信ユニットおよび通信ユニットを含む。受信ユニットは、アクセスポイントAPによって送信されたウェイクアップパケットを受信し、ウェイクアップパケットが、基本サービスセット（BSS）パラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの少なくとも１つの重要パラメータが変更されたかどうかを示すために使用される、ように構成される。通信ユニットは、BSSパラメータ指示情報に基づいてAPと通信するように構成される。
【手続補正１７】
【補正対象書類名】明細書
【補正対象項目名】００２２
【補正方法】変更
【補正の内容】
【００２２】
第4の態様によれば、本願の一実施形態は、第1のネットワークノードに適用されるデータ通信装置を提供する。データ通信装置は、受信ユニットおよび通信ユニットを含む。受信ユニットは、第2のネットワークノードによって送信されたウェイクアップパケットを受信し、ウェイクアップパケットが、ターゲットパラメータ値を含み、ターゲットパラメータ値が、第1のネットワークノードと第2のネットワークノードとの間の通信パラメータの更新値であり、通信パラメータが、ターゲットウェイクアップ時間TWT要素の少なくとも1つのパラメータおよび／または第2のネットワークノードの送信動作モードパラメータを含む、ように構成される。通信ユニットは、ターゲットパラメータ値に基づいて第2のネットワークノードと通信するように構成される。
【手続補正１８】
【補正対象書類名】明細書
【補正対象項目名】００２３
【補正方法】変更
【補正の内容】
【００２３】
第5の態様によれば、本願の一実施形態は、STAに適用されるデータ通信装置を提供する。データ通信装置は、コンピュータ実行可能プログラムコードを記憶するように構成されるメモリと、トランシーバと、メモリおよびトランシーバと結合されるプロセッサとを含む。
【手続補正１９】
【補正対象書類名】明細書
【補正対象項目名】００２４
【補正方法】変更
【補正の内容】
【００２４】
プログラムコードは命令を含む。プロセッサが命令を実行すると、命令は、データ通信装置が、以下の動作、すなわち、アクセスポイントAPによって送信されたウェイクアップパケットを受信する動作であって、ウェイクアップパケットが、基本サービスセットBSSパラメータ指示情報を含み、BSSパラメータ指示情報が、BSSパラメータ変更指示情報、またはSTAの主トランシーバが現在属している主BSSのターゲットパラメータを含み、BSSパラメータ変更指示情報が、STAの主トランシーバがスリープ状態にあるときに主BSSの少なくとも１つの重要パラメータが変更されたかどうかを示すために使用される、動作と、BSSパラメータ指示情報に基づいてAPと通信する動作とを実行できるようにする。
【手続補正２０】
【補正対象書類名】明細書
【補正対象項目名】００２５
【補正方法】変更
【補正の内容】
【００２５】
第6の態様によれば、本願の一実施形態は、第1のネットワークノードに適用されるデータ通信装置を提供する。データ通信装置は、コンピュータ実行可能プログラムコードを記憶するように構成されるメモリと、トランシーバと、メモリおよびトランシーバと結合されるプロセッサとを含む。
【手続補正２１】
【補正対象書類名】明細書
【補正対象項目名】００２７
【補正方法】変更
【補正の内容】
【００２７】
第7の態様によると、本願の一実施形態は、第3の態様のデータ通信装置または第5の態様のデータ通信装置によって使用されるコンピュータソフトウェア命令を記憶するように構成されるコンピュータ記憶媒体を提供し、コンピュータソフトウェア命令は、第1の態様もしくは第1の態様の可能な設計のいずれか１つで提供されている方法を実行するために使用される。
【手続補正２２】
【補正対象書類名】明細書
【補正対象項目名】００２８
【補正方法】変更
【補正の内容】
【００２８】
第8の態様によれば、本願の一実施形態は、第4の態様のデータ通信装置によって使用されるコンピュータソフトウェア命令を記憶するように構成されるコンピュータ記憶媒体を提供し、コンピュータソフトウェア命令は、第2の態様もしくは第2の態様の可能な設計のいずれか１つを実行するように設計されるプログラムを含む。
【手続補正２３】
【補正対象書類名】明細書
【補正対象項目名】００２９
【補正方法】変更
【補正の内容】
【００２９】
第9の態様によれば、本願の一実施形態は、データ通信方法を提供する。第1のネットワークノードは、第2のネットワークノードによって送信されたウェイクアップパケットを受信し、ウェイクアップパケットは、キャンセル命令情報を含み、キャンセル命令情報は、第1のネットワークノードと第2のネットワークノードとの間に予め確立されたターゲットウェイクアップ時間TWTをキャンセルするように命令するために使用され、第1のネットワークノードの主トランシーバは、キャンセル命令情報に基づいて第2のネットワークノードと通信する。
【手続補正２４】
【補正対象書類名】明細書
【補正対象項目名】００３０
【補正方法】変更
【補正の内容】
【００３０】
第10の態様によれば、本願の一実施形態は、第1のネットワークノードに適用されるデータ通信装置を提供する。データ通信装置は、受信ユニットおよび通信ユニットを含む。受信ユニットは、第2のネットワークノードによって送信されるウェイクアップパケットを受信し、ウェイクアップパケットが、キャンセル命令情報を含み、キャンセル命令情報が、第1のネットワークノードと第2のネットワークノードとの間に予め確立されたターゲットウェイクアップ時間TWTをキャンセルするように命令するために使用される、ように構成される。
【手続補正２５】
【補正対象書類名】明細書
【補正対象項目名】００３２
【補正方法】変更
【補正の内容】
【００３２】
第11の態様によれば、本願の一実施形態は、コンピュータ命令を提供し、コンピュータソフトウェア命令は、第1の態様もしくは第1の態様の可能な設計のいずれか１つで提供されている方法を実行するために使用される。
【手続補正２６】
【補正対象書類名】明細書
【補正対象項目名】００３３
【補正方法】変更
【補正の内容】
【００３３】
本願の実施形態では、STAは、APによって送信されるウェイクアップパケットを受信し、ウェイクアップパケットは、BSSパラメータ指示情報を含み、パラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。このようにして、BSSパラメータ指示情報が、ウェイクアップパケットを使用してSTAに送信されるため、STAは、主BSSの現在の重要パラメータを正確に知ることができ、その結果、STAの主トランシーバが、ウェイクアップ後にAPと正常に通信することが有効に保証される。
【手続補正２７】
【補正対象書類名】明細書
【補正対象項目名】００３４
【補正方法】変更
【補正の内容】
【００３４】
本願の実施形態または背景技術の技術的解決策をより明確に説明するために、以下では、本願の実施形態または背景技術を説明するために必要な添付図面について簡単に説明する。
【手続補正２８】
【補正対象書類名】明細書
【補正対象項目名】００３５
【補正方法】変更
【補正の内容】
【００３５】
【図１】本願の一実施形態による適用シナリオの概略図である。
【図２】本願の一実施形態による従来の信号リスニングおよびスリープポリシーの概略図である。
【図３】本願の一実施形態による低電力ウェイクアップ受信機および送信機の可能な概略構成図である。
【図４ａ】本願の一実施形態によるウェイクアップパケットのフレーム構造の概略図である。
【図４ｂ】本願の一実施形態による別のウェイクアップパケットのフレーム構造の概略図である。
【図５】本願の一実施形態によるデータ通信方法のフローチャートである。
【図６】本願の一実施形態によるステーションウェイクアッププロセスの概略図である。
【図７】本願の一実施形態による別のステーションウェイクアッププロセスの概略図である。
【図８】本願の一実施形態によるビーコンフレームの到着時間の概略図である。
【図９】本願の一実施形態によるビーコンフレーム指示の概略構成図である。
【図１０】本願の一実施形態によるEDCAパラメータの概略図である。
【図１１】本願の一実施形態による別のデータ通信方法のフローチャートである。
【図１２】本願の一実施形態によるTWT要素の概略図である。
【図１３ａ】本願の一実施形態によるデータ通信装置の概略構成図である。
【図１３ｂ】本願の一実施形態による別のデータ通信装置の概略構成図である。
【図１４ａ】本願の一実施形態によるさらに別のデータ通信装置の概略構成図である。
【図１４ｂ】本願の一実施形態によるさらに別のデータ通信装置の概略構成図である。
【手続補正２９】
【補正対象書類名】明細書
【補正対象項目名】００３６
【補正方法】変更
【補正の内容】
【００３６】
以下では、本願の実施形態の添付図面を参照して、本願の実施形態について説明する。
【手続補正３０】
【補正対象書類名】明細書
【補正対象項目名】００３７
【補正方法】変更
【補正の内容】
【００３７】
本願の実施形態は、ワイヤレスローカルエリアネットワーク（Wireless Local Area Network、WLAN）に適用することができる。現在、IEEE（英語：Institute of Electrical and Electronics Engineers）802．11シリーズ規格が、WLANに使用されている。WLANは、複数の基本サービスセット（Basic Service Set、BSS）を含むことができ、BSS内のネットワークノードは、ステーションである。ステーションには、アクセスポイント（Access Point、AP）ステーションと非アクセスポイントステーション（英語：Non Access Point Station、略してNon−AP STA）とがある。各基本サービスセットは、1つのAPとこのAPに関連する複数のNon−AP STAとを含むことができる。本願の実施形態におけるすべてのSTAは非アクセスポイントステーションであり、本願の実施形態におけるすべてのAPはアクセスポイントステーションであることに留意されたい。
【手続補正３１】
【補正対象書類名】明細書
【補正対象項目名】００４２
【補正方法】変更
【補正の内容】
【００４２】
スリープポリシーを最適化することに加えて、デバイスのidle listeningにおけるエネルギーの浪費を低減するための別の技術的アプローチであって、低電力ウェイクアップ受信機（Low Power Wake Up Receiver、LP−WUR）（本明細書では略してWUR）を使用する技術的アプローチがある。この技術的アプローチの中心概念は、受信端デバイス（STAなど）が、レガシーの802．11トランシーバ端（802．11 main radio、802．11主トランシーバモジュール、またはWi−Fi主トランシーバモジュール）に加えて低電力ウェイクアップ受信機（WUR）部をさらに含むことである。図3に示すように、802．11主トランシーバモジュールがディープスリープに移行した後に、低電力WURはウェイクアップされ、動作し始める。別のデバイス（例えば、図3の左側にあるAP）が、WURおよび802．11主トランシーバモジュールを有するデバイス（例えば、図3の右側にあるSTA）と通信する必要がある場合、APは最初に、WURウェイクアップパケット（WUP、Wake-Up Packet、またはウェイクアップフレームと呼ばれる）をWURに送信する。WURに送信されたWUPを正しく受信した後、WURは、STAの802．11主トランシーバモジュールをウェイクアップし、次にWUR自体はスリープに移行する。この場合、APは、起動している802．11主トランシーバモジュールと通信する。APとの通信を終了した後、802．11主トランシーバモジュールは、スリープに移行する。同時に、WURが、ウェイクアップされ、802．11主トランシーバモジュールをウェイクアップするために、WURに送信されたWUPがあるかどうかを検出する目的で再度リスニングを開始する。
【手続補正３２】
【補正対象書類名】明細書
【補正対象項目名】００４３
【補正方法】変更
【補正の内容】
【００４３】
この技術では、低電力WURは、媒体がアイドルであるときにチャネルをリッスンするために802．11主トランシーバモジュールに取って代わるように使用され（リスニング状態または受信状態のWURのエネルギー消費は802．11主トランシーバモジュールの約0．1％〜1％、すなわち100uW未満であると予測される）、これにより、デバイスのidle listening中のエネルギーの浪費を効果的に低減することができる。
【手続補正３３】
【補正対象書類名】明細書
【補正対象項目名】００４５
【補正方法】変更
【補正の内容】
【００４５】
可能なWUPフレーム構造を図4aに示す。前部には、Legacy 802．11 preamble（レガシー802．11プリアンブル）があり、これは、周囲の別の802．11デバイス（プリアンブルを検出する周囲の802．11デバイスは、ある期間の間チャネルを切り替えることができない）によって解釈され得るものであり、レガシー802．11デバイスからの干渉からウェイクアップパケットの後続部分を保護するために使用される。後部には、WUP payload（ペイロード）部分があり、これは、OOKを使用して変調され、WURによってのみ解釈され得る。WUPペイロード部分は、ウェイクアッププリアンブル（Wake−Up Preamble）（WUP信号を認識するために使用される）、MAC Header（異なるWURを区別するために使用されるWUR IDを含む）、frame body（何らかの他の情報を搬送することができるフレームキャリア）、FCS（Frame Check Sequence、フレームチェックシーケンス）（受信データが送信データと同じであることを保証するために使用される）を含むことができる。本明細書におけるWUR IDは、部分的もしくは完全なステーション関連識別子、またはAPによって割り当てられたステーションのWUR識別子、またはステーションの受信機MACアドレスもしくは部分的な受信機MACアドレス、または異なるステーションのWURを区別するために使用され得る他の情報とすることができる。さらに、20M帯域幅の基本単位で送信される802．11レガシープリアンブルとは異なり、WUPペイロード部分は、狭帯域を使用して送信することができる。例えば、狭帯域は、1M、2M、4M、8M、および16Mとすることができる。WUPペイロード部分は、20M帯域幅の基本単位で送信することもできる。
【手続補正３４】
【補正対象書類名】明細書
【補正対象項目名】００４７
【補正方法】変更
【補正の内容】
【００４７】
ウェイクアップ受信機を備えるSTAの主トランシーバは通常、比較的小さいデューティサイクルを有する。言い換えれば、STAの主トランシーバは、比較的長い時間、通常は数日、さらには数ヶ月にわたってスリープする。しかしながら、スリープ時間の間に、STAの主トランシーバが属する主BSSの重要パラメータは変更される、すなわち、APによって管理される、BSSの重要パラメータは変更される。例えば、APとSTAの主トランシーバとの間の送信チャネルが別のチャネルに変更される。ウェイクアップされた後、STAの主トランシーバは、APと通信するために元のチャネルを依然として使用する。この場合、通信は失敗する。本願の主な目的は、この問題を解決することであり、主な解決策は、APがウェイクアップパケットを使用してBSSパラメータ指示情報をSTAに送信し、STAがBSSパラメータ指示情報を使用してAPと通信することができるというものである。
【手続補正３５】
【補正対象書類名】明細書
【補正対象項目名】００５０
【補正方法】変更
【補正の内容】
【００５０】
本願の実施形態では、APは、APに関連する少なくとも1つのステーションSTAにウェイクアップパケットを送信し、例えば、図1のSTA1、STA2、およびSTA3の少なくとも1つにウェイクアップパケットを送信し、このウェイクアップパケットは、BSSパラメータ指示情報を含み、このBSSパラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。これにより確実に、STAの主トランシーバは、ウェイクアップ後にAPと正常に通信することができる。
【手続補正３６】
【補正対象書類名】明細書
【補正対象項目名】００５１
【補正方法】変更
【補正の内容】
【００５１】
以下では、図5〜図12を参照して、本願の実施形態で提供されるデータ通信方法について説明する。
【手続補正３７】
【補正対象書類名】明細書
【補正対象項目名】００５２
【補正方法】変更
【補正の内容】
【００５２】
図5は、本願の一実施形態によるデータ通信方法の概略フローチャートである。本願のこの実施形態では、この方法は、STAによって実行される。図5に示すように、本願のこの実施形態におけるデータ通信方法は、ステップS100およびS101を含む。
【手続補正３８】
【補正対象書類名】明細書
【補正対象項目名】００５３
【補正方法】変更
【補正の内容】
【００５３】
S100．ステーション（STA）は、アクセスポイント（AP）によって送信されたウェイクアップパケットを受信し、ウェイクアップパケットは、基本サービスセット（BSS）パラメータ指示情報を含み、BSSパラメータ指示情報は、BSSパラメータ変更指示情報、またはSTAの主トランシーバが現在属している主BSSのターゲットパラメータを含み、BSSパラメータ変更指示情報は、STAの主トランシーバがスリープ状態にあるときに主BSSの少なくとも１つの重要パラメータが変更されたかどうかを示すために使用される。
【手続補正３９】
【補正対象書類名】明細書
【補正対象項目名】００５５
【補正方法】変更
【補正の内容】
【００５５】
本願のこの実施形態では、図6に示すように、APは、ウェイクアップパケットを単一のSTAに送信する。ウェイクアップパケットを受信した後、STAは、主トランシーバをウェイクアップするようにトリガされる。スリープからウェイクアップされるまでの移行時間の後、STAは、STAがウェイクアップされたことをAPに通知するためにPS−Pollフレームまたは肯定応答フレームをAPに送信する。その後、APは、STAに肯定応答（Acknowledgement、Ack）フレームを返すか、またはデータを直接転送する。さらに、図6において、代替的にAPは、STAがウェイクアップされた後、STAがPS−Pollフレームを送信するのを待たずにデータフレームをSTAに直接送信してもよい。ウェイクアップパケットは、APによってユニキャスト方式でSTAに送信されてもよく、あるいはAPによってマルチキャスト方式またはブロードキャスト方式で複数のSTAに送信されてもよいことに留意されたい。例えば、ウェイクアップパケットは、ウェイクアップビーコンフレームである。ウェイクアップビーコンフレームは、802．11ビーコンフレームと同様の構造を有し、要素を直列に接続することによって形成される。ウェイクアップビーコンフレームは、802．11ビーコンフレームと同じように定期的にブロードキャストされ、ウェイクアップ無線の対応するパラメータを含む。ウェイクアップされた後に主トランシーバが正常に動作するのを助けるために、ウェイクアップビーコンフレームは、主トランシーバが現在属している主BSSの重要パラメータまたは変更指示フィールドを依然として搬送する必要がある。
【手続補正４０】
【補正対象書類名】明細書
【補正対象項目名】００５６
【補正方法】変更
【補正の内容】
【００５６】
STAの主トランシーバのスリープ時間中、APおよびSTAの主トランシーバが属する主BSSの少なくとも１つの重要パラメータ、例えば、（主チャネルの）チャネル番号、タイムスタンプ、周波数帯域番号、帯域幅中心周波数、EDCAパラメータ、ビーコンフレームの到着時間、およびビーコンフレーム間隔は変更される場合がある。ウェイクアップされた後に確実にSTAの主トランシーバが正常に動作できるようにするために、主BSSの、すべてのBSSパラメータが、ウェイクアップされた後に確実にSTAの主トランシーバが正常に動作できるようにウェイクアップされる必要があることをSTAに通知するために、ウェイクアップパケットに追加される場合、その結果、ウェイクアップパケットは過度に長くなる。本願は、ウェイクアップパケットを単純化し、ウェイクアップされたSTAが正常な通信を確実に実行できるようにする必要がある。
【手続補正４１】
【補正対象書類名】明細書
【補正対象項目名】００５７
【補正方法】変更
【補正の内容】
【００５７】
本願のこの実施形態におけるウェイクアップパケットは、BSSパラメータ指示情報を含み、BSSパラメータ指示情報は、STAの主トランシーバが属する主BSSの少なくとも１つの重要パラメータがSTAの主トランシーバがスリープ状態にあるときに変更されたかどうかを示すために使用されるBSSパラメータ変更指示情報とすることができる。例えば、BSSパラメータ変更指示情報は、主BSSの重要パラメータの変更回数を表すために使用される、APによってカウントされた変更カウント値であってもよく、または、BSSパラメータ変更指示情報は、APによってSTAに配信される変更識別子であってもよく、または、BSSパラメータ変更指示情報は、主BSSの重要パラメータのうちの、STAの主トランシーバがスリープ状態にあるときに変更された重要パラメータの最新値であってもよい。
【手続補正４２】
【補正対象書類名】明細書
【補正対象項目名】００５８
【補正方法】変更
【補正の内容】
【００５８】
さらに、BSSパラメータ指示情報は、代替的に、STAの主トランシーバが現在属している主BSSのターゲットパラメータとすることができる。ターゲットパラメータは、予め設定される重要パラメータ、例えば、経験値に基づいて予め設定される変更可能な少なくとも1つの重要パラメータであってもよく、あるいは、ターゲットパラメータは、主BSSの重要ではないパラメータであってもよい。これは本願では限定されない。APがウェイクアップパケットをSTAに配信するたびに、ウェイクアップパケットは、ターゲットパラメータを含む。もちろん、ターゲットパラメータは、変更されないパラメータを含むことができる。
【手続補正４３】
【補正対象書類名】明細書
【補正対象項目名】００６１
【補正方法】変更
【補正の内容】
【００６１】
ステップ1：STAは、STAによって保持された第2の変更カウント値が第1の変更カウント値と同じであるかどうかを検出し、第2の変更カウント値は、STAの主トランシーバが履歴的な起動状態にあるときの、主BSSの重要パラメータの変更回数を表すために使用される。
【手続補正４４】
【補正対象書類名】明細書
【補正対象項目名】００６２
【補正方法】変更
【補正の内容】
【００６２】
STAによって保持された第2の変更カウント値が第1の変更カウント値と同じであるかどうかを検出する動作は、STAがウェイクアップパケットを受信した後に実行されてもよく、すなわち、主トランシーバがスリープ状態から起動状態に変更される期間に実行されてもよく、あるいはSTAの主トランシーバがウェイクアップされた後に実行されてもよい。
【手続補正４５】
【補正対象書類名】明細書
【補正対象項目名】００６７
【補正方法】変更
【補正の内容】
【００６７】
本願のこの実施形態は、BSSパラメータ変更指示情報がトークン数であると仮定して説明される。APおよびSTAはそれぞれ、1つのトークン数を有し、APのトークン数は、第1の変更カウント値であり、STAのトークン数は、第2の変更カウント値である。
【手続補正４６】
【補正対象書類名】明細書
【補正対象項目名】００６８
【補正方法】変更
【補正の内容】
【００６８】
主トランシーバが属する主BSSの重要パラメータが変更されるたびに、APのトークン数は1ずつ増加される（1は本明細書における一例に過ぎず、2または別の数を使用することもできる）。例えば、主トランシーバが属する主BSSの主チャネル番号が変更された場合、APのトークン数は1だけ増加される。同じ重要パラメータが2回変更される場合、トークン数は2回増加されることに留意されたい。
【手続補正４７】
【補正対象書類名】明細書
【補正対象項目名】００６９
【補正方法】変更
【補正の内容】
【００６９】
APは、定期的にトークン数をブロードキャストしてもよく、またはトークン数を単一のSTAに通知するためにユニキャストフレームを送信する。例えば、トークン数は、ビーコンフレーム（beacon）または関連応答フレームで搬送される。STAの主トランシーバが起動状態にあるとき、トークン数を受信した後、STAは、トークン数を記憶するか、または以前に記憶したトークン数を置き換える。このようにして、STAの主トランシーバが起動状態にあるとき、APのトークン数とSTAのトークン数は同じになる。STAの主トランシーバが起動状態からスリープ状態に変更された後、STAのトークン数はもはや変更されない。STAの主トランシーバが属する主BSSの重要パラメータが、STAの主トランシーバがスリープ状態にあるときに変更されている場合、APのトークン数は、STAのトークン数と異なり得る。
【手続補正４８】
【補正対象書類名】明細書
【補正対象項目名】００７２
【補正方法】変更
【補正の内容】
【００７２】
APのトークン数を受信した後、STAは、APのトークン数とローカルに記憶されているトークン数とを比較する（STAによってローカルに記憶されているトークン数は、STAの履歴的な起動状態のときの、STAの主トランシーバが属する主BSSの重要パラメータの変更回数を表す）。トークン数が同じである場合、それは、主トランシーバが属する主BSSの重要パラメータが変更されていないことを示し、あるいは、トークン数が異なる場合、それは、主トランシーバが属する主BSSの重要パラメータが変更されていることを示す。
【手続補正４９】
【補正対象書類名】明細書
【補正対象項目名】００７３
【補正方法】変更
【補正の内容】
【００７３】
主BSSの重要パラメータ変更は、以下のうちの1つ以上であり得る。
【手続補正５０】
【補正対象書類名】明細書
【補正対象項目名】００７６
【補正方法】変更
【補正の内容】
【００７６】
STAの主トランシーバがウェイクアップされた後（主トランシーバは、APによって送信されるウェイクアップパケットを使用してウェイクアップされてもよく、あるいはAPとの間で事前に合意された時間に基づいて自動的にウェイクアップされてもよい）。主トランシーバが属する主BSSの重要パラメータが変更されている場合、主BSSの最新の重要パラメータを返すようにAPに要求するために、probe request（プローブ要求フレーム）がAPに送信される。STAのプローブ要求フレームを受信した後、APは、プローブ応答フレームを返し、プローブ応答フレームは、主BSSの最新の重要パラメータを含む。
【手続補正５１】
【補正対象書類名】明細書
【補正対象項目名】０１０２
【補正方法】変更
【補正の内容】
【０１０２】
チャネルパラメータは、STAに送信されるウェイクアップパケットに含まれるだけでなく、すべてのSTAにブロードキャストされるまたはマルチキャスト方式で1つ以上のSTAグループに送信される、ウェイクアップビーコンフレームなどのウェイクアップパケットにも含まれ得る。
【手続補正５２】
【補正対象書類名】明細書
【補正対象項目名】０１０３
【補正方法】変更
【補正の内容】
【０１０３】
チャネル番号は、プライマリチャネル番号であってもよく、セカンダリチャネルオフセット指示は、セカンダリチャネルの周波数がプライマリチャネルの周波数（または参照番号）より低いか高いかを示す。
【手続補正５３】
【補正対象書類名】明細書
【補正対象項目名】０１０７
【補正方法】変更
【補正の内容】
【０１０７】
【表２】
2019537360.tif 000023
【手続補正５４】
【補正対象書類名】明細書
【補正対象項目名】０１１０
【補正方法】変更
【補正の内容】
【０１１０】
任意選択で、変更された重要パラメータは、主BSSの競合チャネルの拡張分散チャネルアクセス（EDCA）パラメータをさらに含むことができる。
【手続補正５５】
【補正対象書類名】明細書
【補正対象項目名】０１１１
【補正方法】変更
【補正の内容】
【０１１１】
主BSSのEDCAパラメータは、主BSSの競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つ、または少なくとも1つの、これらのサブパラメータセットを含む。
【手続補正５６】
【補正対象書類名】明細書
【補正対象項目名】０１１２
【補正方法】変更
【補正の内容】
【０１１２】
具体的には、STAの主トランシーバが属する主BSSの競合チャネルのEDCAパラメータが変更され、APが、ウェイクアップパケットをスリープ中のSTA（ウェイクアップ受信機はオン状態にあり、主トランシーバはスリープ状態にある）に送信するとき、図10に示すように、ウェイクアップパケットは、QoS Infoフィールド、AC＿BE（ベストエフォートトラフィック、Best effort）パラメータ、AC＿BK（バックグラウンドトラフィック、background）パラメータ、AC＿VI（ビデオトラフィック、video）パラメータ、およびAC＿VO（音声トラフィック、voice）パラメータなどを含む。ACは、アクセスカテゴリ（access category）を示す。各カテゴリのアクセストラフィックは、調停フレーム間間隔数（Arbitration Interframe Spacing Number、AIFSN）、CWminの指数形式（Exponent form of CWmin、ECWmin）、CWmaxの指数形式（Exponent form of CWmax、ECWmax）、および送信機会制限（Transmission Opportunity Limit、TXOPLimit）をさらに含む。
【手続補正５７】
【補正対象書類名】明細書
【補正対象項目名】０１１８
【補正方法】変更
【補正の内容】
【０１１８】
さらに別の実施態様では、BSSパラメータ指示情報は、STAの主トランシーバが現在属している主BSSのターゲットパラメータを含み、ターゲットパラメータは、主BSSの競合チャネルの拡張分散チャネルアクセス（EDCA）パラメータを含む。
【手続補正５８】
【補正対象書類名】明細書
【補正対象項目名】０１１９
【補正方法】変更
【補正の内容】
【０１１９】
主BSSのEDCAパラメータは、主BSSの競合チャネルのサービス品質QoS情報、アクセス・カテゴリ・ベスト・エフォート・トラフィック（AC＿BE）パラメータ、アクセス・カテゴリ・バックグラウンド・トラフィック（AC＿BK）パラメータ、アクセス・カテゴリ・ビデオ・トラフィック（AC＿VI）パラメータ、およびアクセス・カテゴリ・音声・トラフィック（AC＿VO）パラメータのうちの少なくとも1つ、または少なくとも1つの、これらのサブパラメータセットを含む。
【手続補正５９】
【補正対象書類名】明細書
【補正対象項目名】０１２１
【補正方法】変更
【補正の内容】
【０１２１】
本願のこの実施形態では、STAは、APによって送信されるウェイクアップパケットを受信し、このウェイクアップパケットは、BSSパラメータ指示情報を含み、このパラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。このようにして、BSSパラメータ指示情報が、ウェイクアップパケットを使用してSTAに送信されるため、STAは、主BSSの現在の重要パラメータを正確に知ることができ、その結果、STAの主トランシーバが、ウェイクアップ後にAPと正常に通信することが有効に保証される。
【手続補正６０】
【補正対象書類名】明細書
【補正対象項目名】０１２２
【補正方法】変更
【補正の内容】
【０１２２】
図11は、本願の一実施形態による別のデータ通信方法の概略フローチャートである。本願のこの実施形態は、一例として第1のネットワークノードを使用して説明される。第1のネットワークノードは、APまたはSTAであり得る。第1のネットワークノードがAPである場合、第2のネットワークノードはSTAであり、あるいは、第1のネットワークノードがSTAである場合、第2のネットワークノードはAPである。図11に示すように、本願のこの実施形態におけるデータ通信方法は、ステップS200およびS201を含む。
【手続補正６１】
【補正対象書類名】明細書
【補正対象項目名】０１２３
【補正方法】変更
【補正の内容】
【０１２３】
S200．第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ステーションの主トランシーバに関連するターゲットウェイクアップ時間（TWT）要素の少なくとも1つのパラメータおよび／または第2のネットワークノードの送信動作モードパラメータを含む。
【手続補正６２】
【補正対象書類名】明細書
【補正対象項目名】０１２６
【補正方法】変更
【補正の内容】
【０１２６】
本願のこの実施形態における通信パラメータは、ターゲットウェイクアップ時間（Target wake up time、TWT）要素の少なくとも1つのパラメータおよび／または第2のネットワークノードの送信動作モードパラメータを含む。TWTは、APとSTAの主トランシーバとがウェイクアップ時間について合意するメカニズムである。STAは、消費電力を低減するために、ウェイク中の期間以外の期間はスリープ状態にあることができる。
【手続補正６３】
【補正対象書類名】明細書
【補正対象項目名】０１２９
【補正方法】変更
【補正の内容】
【０１２９】
図12は、本願の一実施形態によるTWT要素の概略構成図である。図12に示すように、TWT要素は、制御フィールド、要求タイプフィールド、ターゲットウェイクアップ時間フィールド、TWTグループ割り当てフィールド、最小TWTウェイク期間フィールド、TWTウェイク間隔仮数（TWT Wake Interval Mantissa）フィールド、TWTチャネルフィールド、およびヌルデータパケット（Null data packet、NDP）ページングフィールドを含む。
【手続補正６４】
【補正対象書類名】明細書
【補正対象項目名】０１３１
【補正方法】変更
【補正の内容】
【０１３１】
任意選択の実施態様では、通信パラメータがTWT要素のターゲットウェイクアップ時間を含む場合、
第1のネットワークノードがターゲットパラメータ値に基づいて第2のネットワークノードと通信するステップは、
第1のネットワークノードによってターゲットパラメータ値に基づいて、第1のネットワークノードの主トランシーバが第2のネットワークノードとの通信を実行するターゲット起動時点を調整し、第2のネットワークノードと通信するステップ
を含む。
【手続補正６５】
【補正対象書類名】明細書
【補正対象項目名】０１３２
【補正方法】変更
【補正の内容】
【０１３２】
特定の実施形態では、APとSTAとは、ターゲットウェイクアップ時間について事前に合意する。STAが、ターゲットウェイクアップ時間の更新に関する通知情報を受信しなかった場合、STAは、予め合意されたターゲットウェイクアップ時間にウェイクアップされ、APと通信する。しかしながら、APが、ネットワーク状態の変化または別の理由により、予め合意されたターゲットウェイクアップ時間にSTAと通信することができないときに、STAが、最初に予め合意されたターゲットウェイクアップ時間に依然としてウェイクアップされ、次にAPと通信すると、通信障害が発生する。本願のこの実施形態では、APが、ターゲットウェイクアップ時間がターゲットパラメータ値に更新されたことを、ウェイクアップパケットを使用してSTAに通知することにより、APとSTAとの間の正常な通信が有効に保証される。
【手続補正６６】
【補正対象書類名】明細書
【補正対象項目名】０１３４
【補正方法】変更
【補正の内容】
【０１３４】
別の任意選択の実施態様では、通信パラメータがTWT要素の最小TWTウェイク期間を含む場合、
第1のネットワークノードがターゲットパラメータ値に基づいて第2のネットワークノードと通信するステップは、
第1のネットワークノードによってターゲットパラメータ値に基づいて、第1のネットワークノードの主トランシーバが第2のネットワークノードとの通信を実行する最小起動期間を調整し、第2のネットワークノードと通信するステップ
を含む。
【手続補正６７】
【補正対象書類名】明細書
【補正対象項目名】０１３５
【補正方法】変更
【補正の内容】
【０１３５】
特定の実施形態では、APとSTAの主トランシーバとの間の通信期間は、TWT要素の最小TWTウェイク期間を調整することによって調整することができる。例えば、APが、予め合意されたターゲットウェイクアップ時間または更新されたターゲットウェイクアップ時間に、起動しているSTAの主トランシーバとのより長時間の通信を実行するつもりである場合、APは、ウェイクアップパケットを使用してTWT要素の最小TWTウェイク期間を変更する。ウェイクアップパケットを受信した後、STAは、構文解析によって最小TWTウェイク期間を取得する。STAは、最小TWTウェイク期間に基づいて、ウェイクアップ後の、APとの通信の期間を知ることができる。
【手続補正６８】
【補正対象書類名】明細書
【補正対象項目名】０１３６
【補正方法】変更
【補正の内容】
【０１３６】
さらに別の任意選択の実施態様では、通信パラメータが、TWT要素のTWTウェイク間隔仮数およびTWTウェイク間隔指数を含む場合、
第1のネットワークノードがターゲットパラメータ値に基づいて第2のネットワークノードと通信するステップは、
第1のネットワークノードによってターゲットパラメータ値に基づいて、第1のネットワークノードの主トランシーバが第2のネットワークノードとの通信を実行する起動期間間隔を調整し、第2のネットワークノードと通信するステップ
を含む。
【手続補正６９】
【補正対象書類名】明細書
【補正対象項目名】０１３７
【補正方法】変更
【補正の内容】
【０１３７】
特定の実施形態では、STAの主トランシーバの起動期間間隔は、TWT要素のTWTウェイク間隔仮数およびTWTウェイク間隔指数を変更することによって調整することができる。例えば、デューティサイクルが変更される場合、APは、ウェイクアップパケットを使用してTWT要素のTWTウェイク間隔を変更することができる、すなわち、TWT要素のTWTウェイク間隔仮数およびTWTウェイク間隔指数を使用してTWTウェイク間隔を変更することができる。TWTウェイク間隔指数は図12の要求タイプフィールドにあることに留意されたい。
【手続補正７０】
【補正対象書類名】明細書
【補正対象項目名】０１４０
【補正方法】変更
【補正の内容】
【０１４０】
第1のネットワークノードがターゲットパラメータ値に基づいて第2のネットワークノードと通信することは、
第1のネットワークノードによってターゲットパラメータ値に基づいて、第1のネットワークノードの主トランシーバが第2のネットワークノードとの通信を実行するためのパラメータを調整し、第2のネットワークノードと通信すること
を含む。
【手続補正７１】
【補正対象書類名】明細書
【補正対象項目名】０１４２
【補正方法】変更
【補正の内容】
【０１４２】
さらに、任意選択で、ウェイクアップパケットは、最初に確立されたTWTフィールドをキャンセルすることをさらに含むことができる。最初に確立されたTWTフィールドをキャンセルすることが「キャンセル」に設定される場合、APとSTAの主トランシーバとの間に最初に確立されたものは無効になり、または、最初に確立されたTWTフィールドをキャンセルすることが「キャンセル」に設定されない場合、APとSTAの主トランシーバとの間に最初に確立されたものは保持される。
【手続補正７２】
【補正対象書類名】明細書
【補正対象項目名】０１５０
【補正方法】変更
【補正の内容】
【０１５０】
本願のこの実施形態では、第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ターゲットウェイクアップ時間TWT要素の少なくとも1つのパラメータおよび／または第2のネットワークノードの送信動作モードパラメータを含み、第1のネットワークノードは、ターゲットパラメータ値に基づいて第2のネットワークノードと通信する。このようにして、第1のネットワークノードと第2のネットワークノードとの間の更新された通信パラメータを第1のネットワークノードに適時に通知することができることから、第1のネットワークノードが第2のネットワークノードと正常に通信することが保証される。
【手続補正７３】
【補正対象書類名】明細書
【補正対象項目名】０１５３
【補正方法】変更
【補正の内容】
【０１５３】
図13aおよび図13bはそれぞれ、本願の一実施形態によるデータ通信装置の概略構成図である。図13aに示すように、データ通信装置は、受信ユニット100および通信ユニット101を含むことができる。
【手続補正７４】
【補正対象書類名】明細書
【補正対象項目名】０１５８
【補正方法】変更
【補正の内容】
【０１５８】
通信ユニット101がBSSパラメータ指示情報に基づいてAPと通信することは、特に、
STAによって保持された第2の変更カウント値であって、STAの主トランシーバが履歴的な起動状態にあるときの、主BSSの重要パラメータの変更回数を表すために使用される第2の変更カウント値が第1の変更カウント値と同じであるかどうかを検出することと、
第2の変更カウント値が第1の変更カウント値と異なる場合、STAの主トランシーバがスリープ状態にあるときに主BSSの重要パラメータが変更されていることと、
STAの主トランシーバがスリープ状態から起動状態に変更されるときに、主BSSの最新の重要パラメータを取得し、この最新の重要パラメータに基づいてAPと通信することと
を含む。
【手続補正７５】
【補正対象書類名】明細書
【補正対象項目名】０１７０
【補正方法】変更
【補正の内容】
【０１７０】
図5の、本願の実施形態で開示されているプロセスは、プロセッサ1002に適用することができ、またはプロセッサ1002によって実施することができる。実施プロセスでは、この装置によって実施されるプロセスのステップは、プロセッサ1002内のハードウェアの集積論理回路によって、またはソフトウェア形態の命令によって実施することができる。プロセッサ1002は、汎用プロセッサ、デジタル信号プロセッサ、特定用途向け集積回路、フィールドプログラマブルゲートアレイもしくは別のプログラマブル論理デバイス、ディスクリートゲートもしくはトランジスタ論理デバイス、またはディスクリートハードウェアコンポーネントとすることができ、本願の実施形態で開示されている方法、ステップ、および論理ブロック図を実施または実行することができる。汎用プロセッサは、マイクロプロセッサまたは任意の従来のプロセッサなどであってもよい。図5の、本願の実施形態を参照して開示されている方法のステップは、ハードウェアプロセッサによって直接実行されてもよく、またはプロセッサ内のハードウェアとソフトウェアモジュールとの組み合わせを使用して実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ1003に配置され、プロセッサ1002は、メモリ1003内の情報を読み出し、プロセッサ1002のハードウェアと共に、本願の実施形態で説明されているプロセスのステップを遂行する。
【手続補正７６】
【補正対象書類名】明細書
【補正対象項目名】０１７６
【補正方法】変更
【補正の内容】
【０１７６】
プロセッサ1002は、STAによって保持された第2の変更カウント値が第1の変更カウント値と同じであるかどうかを検出し、第2の変更カウント値が、STAの主トランシーバが履歴的な起動状態にあるときの、主BSSの重要パラメータの変更回数を表すために使用され、
第2の変更カウント値が第1の変更カウント値と異なる場合、STAの主トランシーバがスリープ状態にあるときに主BSSの重要パラメータは変更されている、ように構成される。
【手続補正７７】
【補正対象書類名】明細書
【補正対象項目名】０１９０
【補正方法】変更
【補正の内容】
【０１９０】
本願のこの実施形態では、STAは、APによって送信されるウェイクアップパケットを受信し、このウェイクアップパケットは、BSSパラメータ指示情報を含み、このパラメータ指示情報は、BSSパラメータ変更指示情報、またはSTAの主トランシーバが現在属する主BSSのターゲットパラメータを含み、BSSパラメータ変更指示情報は、STAの主トランシーバがスリープ状態にあるときに主BSSの重要パラメータが変更されたかどうかを示すために使用され、STAの主トランシーバは、BSSパラメータ指示情報に基づいてAPと通信する。このようにして、BSSパラメータ指示情報が、ウェイクアップパケットを使用してSTAに送信されるため、STAは、主BSSの現在の重要パラメータを正確に知ることができ、その結果、STAの主トランシーバが、ウェイクアップ後にAPと正常に通信することが有効に保証される。
【手続補正７８】
【補正対象書類名】明細書
【補正対象項目名】０１９２
【補正方法】変更
【補正の内容】
【０１９２】
本願の一実施形態は、データ通信装置をさらに提供する。この装置は、図11の前述の方法で説明された第1のネットワークノードとすることができ、第1のネットワークノードは、STAまたはAPとすることができる。第1のネットワークノードがSTAである場合、本願のこの実施形態における第2のネットワークノードはAPであり、あるいは、第1のネットワークノードがAPである場合、本願のこの実施形態における第2のネットワークノードはSTAである。もちろん、本願のこの実施形態におけるデータ通信装置は、代替的に、前述の図11の方法における第1のネットワークノードの動作を実施することができる別のデバイスであってもよい。
【手続補正７９】
【補正対象書類名】明細書
【補正対象項目名】０１９３
【補正方法】変更
【補正の内容】
【０１９３】
図14aおよび図14bはそれぞれ、本願の一実施形態によるデータ通信装置の概略構成図である。図14aに示すように、データ通信装置は、受信ユニット200および通信ユニット201を含むことができる。
【手続補正８０】
【補正対象書類名】明細書
【補正対象項目名】０１９６
【補正方法】変更
【補正の内容】
【０１９６】
任意選択で、通信パラメータが、TWT要素のターゲットウェイクアップ時間を含む場合、
通信ユニット201がターゲットパラメータ値に基づいて第2のネットワークノードと通信することは、特に、
ターゲットパラメータ値に基づいて、第1のネットワークノードの主トランシーバが第2のネットワークノードとの通信を実行するターゲット起動時点を調整し、第2のネットワークノードと通信すること
を含む。
【手続補正８１】
【補正対象書類名】明細書
【補正対象項目名】０１９７
【補正方法】変更
【補正の内容】
【０１９７】
任意選択で、通信パラメータが、 TWT要素の最小TWTウェイク期間を含む場合、
通信ユニット201がターゲットパラメータ値に基づいて第2のネットワークノードと通信することは、特に、
ターゲットパラメータ値に基づいて、第1のネットワークノードの主トランシーバが第2のネットワークノードとの通信を実行する最小起動期間を調整し、第2のネットワークノードと通信すること
を含む。
【手続補正８２】
【補正対象書類名】明細書
【補正対象項目名】０１９８
【補正方法】変更
【補正の内容】
【０１９８】
任意選択で、通信パラメータが、 TWT要素のTWTウェイク間隔仮数およびTWTウェイク間隔指数を含む場合、
通信ユニット201がターゲットパラメータ値に基づいて第2のネットワークノードと通信することは、特に、
ターゲットパラメータ値に基づいて、第1のネットワークノードの主トランシーバが第2のネットワークノードとの通信を実行する起動期間間隔を調整し、第2のネットワークノードと通信すること
を含む。
【手続補正８３】
【補正対象書類名】明細書
【補正対象項目名】０２０１
【補正方法】変更
【補正の内容】
【０２０１】
通信ユニット201がターゲットパラメータ値に基づいて第2のネットワークノードと通信することは、特に、
ターゲットパラメータ値に基づいて、第1のネットワークノードの主トランシーバが第2のネットワークノードとの通信を実行するためのパラメータを調整し、第2のネットワークノードと通信すること
を含む。
【手続補正８４】
【補正対象書類名】明細書
【補正対象項目名】０２０５
【補正方法】変更
【補正の内容】
【０２０５】
図11の、本願の実施形態で開示されているプロセスは、プロセッサ2002に適用することができ、またはプロセッサ2002によって実施することができる。実施プロセスでは、この装置によって実施されるプロセスのステップは、プロセッサ2002内のハードウェアの集積論理回路によって、またはソフトウェア形態の命令によって実施することができる。プロセッサ2002は、汎用プロセッサ、デジタル信号プロセッサ、特定用途向け集積回路、フィールドプログラマブルゲートアレイもしくは別のプログラマブル論理デバイス、ディスクリートゲートもしくはトランジスタ論理デバイス、またはディスクリートハードウェアコンポーネントとすることができ、本願の実施形態で開示されている方法、ステップ、および論理ブロック図を実施または実行することができる。汎用プロセッサは、マイクロプロセッサまたは任意の従来のプロセッサなどであってもよい。図11の、本願の実施形態を参照して開示されている方法のステップは、ハードウェアプロセッサによって直接実行されてもよく、またはプロセッサ内のハードウェアとソフトウェアモジュールとの組み合わせを使用して実行されてもよい。ソフトウェアモジュールは、ランダムアクセスメモリ、フラッシュメモリ、読み出し専用メモリ、プログラマブル読み出し専用メモリ、電気的消去可能プログラマブルメモリ、またはレジスタなどの、当技術分野の成熟した記憶媒体に配置されてもよい。記憶媒体は、メモリ2003に配置され、プロセッサ2002は、メモリ2003内の情報を読み出し、プロセッサ2002のハードウェアと共に、本願の実施形態で説明されているプロセスのステップを遂行する。
【手続補正８５】
【補正対象書類名】明細書
【補正対象項目名】０２０９
【補正方法】変更
【補正の内容】
【０２０９】
任意選択で、通信パラメータが、TWT要素のターゲットウェイクアップ時間を含む場合、
プロセッサ2002は、ターゲットパラメータ値に基づいて、第1のネットワークノードの主トランシーバが第2のネットワークノードとの通信を実行するターゲット起動時点を調整し、第2のネットワークノードと通信するように構成される。
【手続補正８６】
【補正対象書類名】明細書
【補正対象項目名】０２１０
【補正方法】変更
【補正の内容】
【０２１０】
任意選択で、通信パラメータが、 TWT要素の最小TWTウェイク期間を含む場合、
プロセッサ2002は、ターゲットパラメータ値に基づいて、第1のネットワークノードの主トランシーバが第2のネットワークノードとの通信を実行する最小起動期間を調整し、第2のネットワークノードと通信するようにさらに構成される。
【手続補正８７】
【補正対象書類名】明細書
【補正対象項目名】０２１１
【補正方法】変更
【補正の内容】
【０２１１】
任意選択で、通信パラメータが、 TWT要素のTWTウェイク間隔仮数およびTWTウェイク間隔指数を含む場合、
プロセッサ2002は、ターゲットパラメータ値に基づいて、第1のネットワークノードの主トランシーバが第2のネットワークノードとの通信を実行する起動期間間隔を調整し、第2のネットワークノードと通信するようにさらに構成される。
【手続補正８８】
【補正対象書類名】明細書
【補正対象項目名】０２１３
【補正方法】変更
【補正の内容】
【０２１３】
プロセッサ2002は、ターゲットパラメータ値に基づいて、第1のネットワークノードの主トランシーバが第2のネットワークノードとの通信を実行するためのパラメータを調整し、第2のネットワークノードと通信するようにさらに構成される。
【手続補正８９】
【補正対象書類名】明細書
【補正対象項目名】０２１６
【補正方法】変更
【補正の内容】
【０２１６】
本願のこの実施形態では、第1のネットワークノードは、第2のネットワークノードによって送信されたウェイクアップパケットを受信し、ウェイクアップパケットは、ターゲットパラメータ値を含み、ターゲットパラメータ値は、第1のネットワークノードと第2のネットワークノードとの間の通信パラメータの更新値であり、通信パラメータは、ターゲットウェイクアップ時間TWT要素の少なくとも1つのパラメータおよび／または第2のネットワークノードの送信動作モードパラメータを含み、第1のネットワークノードは、ターゲットパラメータ値に基づいて第2のネットワークノードと通信する。このようにして、第1のネットワークノードと第2のネットワークノードとの間の更新された通信パラメータを第1のネットワークノードに適時に通知することができることから、第1のネットワークノードが第2のネットワークノードと正常に通信することが保証される。
【手続補正９０】
【補正対象書類名】明細書
【補正対象項目名】０２１８
【補正方法】変更
【補正の内容】
【０２１８】
本願の一実施形態は、データ通信方法をさらに提供する。データ通信方法は、以下のステップを含む。
【手続補正９１】
【補正対象書類名】明細書
【補正対象項目名】０２２３
【補正方法】変更
【補正の内容】
【０２２３】
本願のこの実施形態におけるデータ通信方法に基づいて、本願の一実施形態は、データ通信装置をさらに提供する。データ通信装置は、受信ユニットおよび通信ユニットを含む。
【国際調査報告】
2019537360.tif 000024
2019537360.tif 000025
2019537360.tif 000026
2019537360.tif 000027
2019537360.tif 000028
2019537360.tif 000029